(57)【要約】  通信システムにおける共通リソースに基づいた接続制御方法および装置が開示される。本発明の実施例に係る端末の動作方法は、前記複数の基地局のうち、第１基地局から共通リソースの設定情報を受信する段階、前記設定情報によって指示される前記共通リソースを通じて前記第１基地局から共通情報を受信する段階、および前記共通情報を使って前記複数の基地局のうち、第２基地局とランダムアクセス手続きを遂行する段階を含む。したがって、通信システムの性能が向上され得る。
2019530272.tif 000002
【特許請求の範囲】
【請求項１】
複数の基地局を含む通信システムにおける端末の動作方法であって、
前記複数の基地局のうち、第１基地局から共通リソースの設定情報を受信する段階、
前記設定情報によって指示される前記共通リソースを通じて前記第１基地局から共通情報を受信する段階、および
前記共通情報を使って前記複数の基地局のうち、第２基地局とランダムアクセス手続きを遂行する段階を含み、
前記共通リソースおよび前記共通情報は前記複数の基地局で同一に設定される、端末の動作方法。
【請求項２】
前記ランダムアクセス手続きは、前記第２基地局のシステム情報の獲得手続きを遂行することなく遂行される、請求項１に記載の端末の動作方法。
【請求項３】
前記ランダムアクセス手続きは、前記共通情報によって指示されるリソースを使って遂行される、請求項１に記載の端末の動作方法。
【請求項４】
前記ランダムアクセス手続きを遂行する段階は、
前記第２基地局の他のシステム情報を要求するメッセージを前記第２基地局に伝送する段階、および
前記第２基地局から前記他のシステム情報を受信する段階を含み、
前記他のシステム情報は前記第２基地局の全体システム情報のうち、前記共通情報に含まれたシステム情報を除いたシステム情報である、請求項１に記載の端末の動作方法。
【請求項５】
前記メッセージは、ランダムアクセスプリアンブルであり、前記他のシステム情報は、ランダムアクセス応答を通じて獲得される、請求項４に記載の端末の動作方法。
【請求項６】
前記共通情報は、前記複数の基地局で同一に設定されたシステム情報、制御情報、物理チャネル情報、参照信号情報およびリソース割当情報のうち、少なくとも一つを含む、請求項１に記載の端末の動作方法。
【請求項７】
前記共通情報は、前記共通情報が適用されるサービス領域を指示するＳＡ（ｓｅｒｖｉｃｅ  ａｒｅａ）識別子を含み、前記第２基地局は、前記ＳＡ識別子によって指示される前記サービス領域に属する、請求項１に記載の端末の動作方法。
【請求項８】
前記共通リソースは、前記共通情報に含まれたリソース割当情報の種類によって独立的に設定され、前記リソース割当情報は制御チャネルのためのリソース割当情報、前記ランダムアクセス手続きのためのリソース割当情報、スケジューリング要求のためのリソース割当情報およびダウンリンク伝送要求のためのリソース割当情報のうち、少なくとも一つである、請求項１に記載の端末の動作方法。
【請求項９】
通信システムに含まれた複数の基地局のうち、第１基地局の動作方法であって、
前記複数の基地局で同一に設定された共通リソースの設定情報を伝送する段階、
前記複数の基地局で同一に設定された共通情報を前記設定情報によって指示される前記共通リソースを通じて伝送する段階、および
前記共通情報に基づいて端末とランダムアクセス手続きを遂行する段階を含む、第１基地局の動作方法。
【請求項１０】
前記ランダムアクセス手続きは、前記第１基地局のシステム情報の伝送手続きを遂行することなく遂行される、請求項９に記載の第１基地局の動作方法。
【請求項１１】
前記端末は、複数の基地局のうち、第２基地局と接続手続きを完了した状態である、請求項９に記載の第１基地局の動作方法。
【請求項１２】
前記ランダムアクセス手続きを遂行する段階は、
前記第１基地局の他のシステム情報を要求するメッセージを前記端末から受信する段階、および
前記メッセージに対する応答として前記他のシステム情報を端末に伝送する段階を含み、
前記他のシステム情報は前記第１基地局の全体システム情報のうち、前記共通情報に含まれたシステム情報を除いたシステム情報である、請求項９に記載の第１基地局の動作方法。
【請求項１３】
前記共通情報は、前記複数の基地局で同一に設定されたシステム情報、制御情報、物理チャネル情報、参照信号情報、リソース割当情報および前記共通情報が適用されるサービス領域を指示するＳＡ（ｓｅｒｖｉｃｅ  ａｒｅａ）識別子のうち、少なくとも一つを含む、請求項９に記載の第１基地局の動作方法。
【請求項１４】
前記共通リソースは、前記共通情報に含まれたリソース割当情報の種類によって独立的に設定され、前記リソース割当情報は制御チャネルのためのリソース割当情報、前記ランダムアクセス手続きのためのリソース割当情報、スケジューリング要求のためのリソース割当情報およびダウンリンク伝送要求のためのリソース割当情報のうち、少なくとも一つである、請求項９に記載の第１基地局の動作方法。
【請求項１５】
複数の基地局を含む通信システムにおける端末であって、
プロセッサ、および
前記プロセッサによって遂行される少なくとも一つの命令が保存されたメモリを含み、
前記少なくとも一つの命令は、
前記複数の基地局のうち、第１基地局から共通リソースの設定情報を受信し、
前記設定情報によって指示される前記共通リソースを通じて前記第１基地局から共通情報を受信し、そして
前記共通情報を使って前記複数の基地局のうち、第２基地局とランダムアクセス手続きを遂行するように実行され、
前記共通リソースおよび前記共通情報は、前記複数の基地局で同一に設定される、端末。
【請求項１６】
前記ランダムアクセス手続きは、前記第２基地局のシステム情報の獲得手続きを遂行することなく遂行される、請求項１５に記載の端末。
【請求項１７】
前記ランダムアクセス手続きが遂行される場合に前記少なくとも一つの命令は、
前記第２基地局の他のシステム情報を要求するメッセージを前記第２基地局に伝送し、そして
前記第２基地局から前記他のシステム情報を受信するように実行され、
前記他のシステム情報は前記第２基地局の全体システム情報のうち、前記共通情報に含まれたシステム情報を除いたシステム情報である、請求項１５に記載の端末。
【請求項１８】
前記共通情報は、前記複数の基地局で同一に設定されたシステム情報、制御情報、物理チャネル情報、参照信号情報およびリソース割当情報のうち、少なくとも一つを含む、請求項１５に記載の端末。
【請求項１９】
前記共通情報は、前記共通情報が適用されるサービス領域を指示するＳＡ（ｓｅｒｖｉｃｅ  ａｒｅａ）識別子を含み、前記第２基地局は前記ＳＡ識別子によって指示される前記サービス領域に属する、請求項１５に記載の端末。
【請求項２０】
前記共通リソースは、前記共通情報に含まれたリソース割当情報の種類によって独立的に設定され、前記リソース割当情報は制御チャネルのためのリソース割当情報、前記ランダムアクセス手続きのためのリソース割当情報、スケジューリング要求のためのリソース割当情報およびダウンリンク伝送要求のためのリソース割当情報のうち、少なくとも一つである、請求項１５に記載の端末。
【発明の詳細な説明】
【技術分野】
【０００１】
本発明は、通信システムにおける接続制御技術に関するものであって、より詳細には、不要なシステム情報の獲得手続きを最小化するための接続制御技術に関するものである。
【背景技術】
【０００２】
急増する無線データ処理のために、ＬＴＥ（ｌｏｎｇ  ｔｅｒｍ  ｅｖｏｌｕｔｉｏｎ）基盤（ｂａｓｅｄ）の通信システム（またはＬＴＥ−Ａ基盤の通信システム）の周波数帯域（例えば、６ＧＨｚ以下の周波数帯域）より高い周波数帯域（例えば、６ＧＨｚ以上の周波数帯域）を支援する通信システム（以下、「統合（ｉｎｔｅｇｒａｔｉｏｎ）通信システム」という）が考慮されている。高い周波数帯域（例えば、６ＧＨｚ以上の周波数帯域）で電波の経路損失、電波の反射などにより信号の受信性能が低下され得、このような問題を解消するために、マクロ（ｍａｒｃｏ）基地局に比べて狭いセルカバレッジ（ｃｅｌｌ  ｃｏｖｅｒａｇｅ）を支援するスモール（ｓｍａｌｌ）基地局が統合通信システムに導入され得る。統合通信システムにおけるスモール基地局は、有線バックホールリンク（ｂａｃｋｈａｕｌ  ｌｉｎｋ）を使ってコアネットワーク（ｃｏｒｅ  ｎｅｔｗｏｒｋ）に接続され得る。
【０００３】
一方、統合通信システムは通信プロトコル（ｐｒｏｔｏｃｏｌ）のすべての機能（例えば、遠隔無線送受信機能、ベースバンド（ｂａｓｅｂａｎｄ）処理機能）を遂行するスモール基地局、通信プロトコルのすべての機能のうち、遠隔無線送受信機能を遂行する複数のＴＲＰ（ｔｒａｎｓｍｉｓｓｉｏｎ  ａｎｄ  ｒｅｃｅｐｔｉｏｎ  ｐｏｉｎｔ）、通信プロトコルのすべての機能のうち、ベースバンドの処理機能を遂行するＢＢＵ（ｂａｓｅｂａｎｄ  ｕｎｉｔ）ブロック（ｂｌｏｃｋ）等で構成され得る。ＴＲＰは、ＲＲＨ（ｒｅｍｏｔｅ  ｒａｄｉｏ  ｈｅａｄ）、ＲＵ（ｒａｄｉｏ  ｕｎｉｔ）等であり得る。ＢＢＵブロックは、少なくとも一つのＢＢＵまたは少なくとも一つのＤＵ（ｄｉｇｉｔａｌ  ｕｎｉｔ）を含むことができる。ＢＢＵブロックは、「ＢＢＵプール（ｐｏｏｌ）」、「集中化された（ｃｅｎｔｒａｌｉｚｅｄ）ＢＢＵ」等と指称され得る。一つのＢＢＵブロックは複数のＴＲＰと接続され得、複数のＴＲＰから受信した信号および複数のＴＲＰに伝送される信号に対するベースバンドの処理機能を遂行することができる。
【０００４】
前述した通信システムに複数の基地局が存在する場合、複数の基地局のそれぞれは、システム情報を伝送することができる。端末は複数の基地局のそれぞれから受信したシステム情報を使って接続手続きを遂行することができる。複数の基地局でシステム情報の一部は共通となり得、共通システム情報が存在する場合にも、端末は接続手続きのために基地局の全体システム情報の獲得手続きを遂行しなければならないため、通信システムにおけるシステム情報の獲得手続きによるオーバーヘッド（ｏｖｅｒｈｅａｄ）が増加し得る。
【発明の概要】
【発明が解決しようとする課題】
【０００５】
前記のような問題点を解決するための本発明の目的は、通信システムにおける不要なシステム情報の獲得手続きを最小化するための接続制御方法および装置を提供するところにある。
【課題を解決するための手段】
【０００６】
前記目的を達成するための本発明の第１実施例に係る複数の基地局を含む通信システムにおける端末の動作方法は、前記複数の基地局のうち、第１基地局から共通リソースの設定情報を受信する段階、前記設定情報によって指示される前記共通リソースを通じて前記第１基地局から共通情報を受信する段階、および前記共通情報を使って前記複数の基地局のうち、第２基地局とランダムアクセス手続きを遂行する段階を含み、前記共通リソースおよび前記共通情報は前記複数の基地局で同一に設定される。
【０００７】
ここで、前記ランダムアクセス手続きは、前記第２基地局のシステム情報の獲得手続きを遂行することなく遂行され得る。
【０００８】
ここで、前記ランダムアクセス手続きは、前記共通情報によって指示されるリソースを使って遂行され得る。
【０００９】
ここで、前記ランダムアクセス手続きを遂行する段階は、前記第２基地局の他のシステム情報を要求（リクエスト）するメッセージを前記第２基地局に伝送する段階および前記第２基地局から前記他のシステム情報を受信する段階を含むことができ、前記他のシステム情報は前記第２基地局の全体システム情報のうち、前記共通情報に含まれたシステム情報を除いたシステム情報であり得る。
【００１０】
ここで、前記メッセージはランダムアクセスプリアンブルであり得、前記他のシステム情報はランダムアクセス応答を通じて獲得され得る。
【００１１】
ここで、前記共通情報は、前記複数の基地局で同一に設定されたシステム情報、制御情報、物理チャネル情報、参照信号情報およびリソース割当情報のうち、少なくとも一つを含むことができる。
【００１２】
ここで、前記共通情報は前記共通情報が適用されるサービス領域を指示するＳＡ識別子を含むことができ、前記第２基地局は前記ＳＡ識別子によって指示される前記サービス領域に属し得る。
【００１３】
ここで、前記共通リソースは前記共通情報に含まれたリソース割当情報の種類によって独立的に設定され得、前記リソース割当情報は制御チャネルのためのリソース割当情報、前記ランダムアクセス手続きのためのリソース割当情報、スケジューリング要求のためのリソース割当情報およびダウンリンク伝送要求のためのリソース割当情報のうち、少なくとも一つであり得る。
【００１４】
前記目的を達成するための本発明の第２実施例に係る通信システムに含まれた複数の基地局のうち、第１基地局の動作方法は、前記複数の基地局で同一に設定された共通リソースの設定情報を伝送する段階、前記複数の基地局で同一に設定された共通情報を前記設定情報によって指示される前記共通リソースを通じて伝送する段階、および前記共通情報に基づいて端末とランダムアクセス手続きを遂行する段階を含む。
【００１５】
ここで、前記ランダムアクセス手続きは前記第１基地局のシステム情報の伝送手続きを遂行することなく遂行され得る。
【００１６】
ここで、前記端末は複数の基地局のうち、第２基地局と接続手続きを完了した状態であり得る。
【００１７】
ここで、前記ランダムアクセス手続きを遂行する段階は、前記第１基地局の他のシステム情報を要求するメッセージを前記端末から受信する段階および前記メッセージに対する応答として前記他のシステム情報を端末に伝送する段階を含むことができ、前記他のシステム情報は前記第１基地局の全体システム情報のうち、前記共通情報に含まれたシステム情報を除いたシステム情報であり得る。
【００１８】
ここで、前記共通情報は、前記複数の基地局で同一に設定されたシステム情報、制御情報、物理チャネル情報、参照信号情報、リソース割当情報および前記共通情報が適用されるサービス領域を指示するＳＡ識別子のうち、少なくとも一つを含むことができる。
【００１９】
ここで、前記共通リソースは、前記共通情報に含まれたリソース割当情報の種類によって独立的に設定され得、前記リソース割当情報は制御チャネルのためのリソース割当情報、前記ランダムアクセス手続きのためのリソース割当情報、スケジューリング要求のためのリソース割当情報およびダウンリンク伝送要求のためのリソース割当情報のうち、少なくとも一つであり得る。
【００２０】
前記目的を達成するための本発明の第３実施例に係る複数の基地局を含む通信システムにおける端末は、プロセッサおよび前記プロセッサによって遂行される少なくとも一つの命令が保存されたメモリを含み、前記少なくとも一つの命令は、前記複数の基地局のうち、第１基地局から共通リソースの設定情報を受信し、前記設定情報によって指示される前記共通リソースを通じて前記第１基地局から共通情報を受信し、そして前記共通情報を使って前記複数の基地局のうち、第２基地局とランダムアクセス手続きを遂行するように実行され、前記共通リソースおよび前記共通情報は前記複数の基地局で同一に設定される。
【００２１】
ここで、前記ランダムアクセス手続きは、前記第２基地局のシステム情報の獲得手続きを遂行することなく遂行され得る。
【００２２】
ここで、前記ランダムアクセス手続きが遂行される場合に前記少なくとも一つの命令は、前記第２基地局の他のシステム情報を要求するメッセージを前記第２基地局に伝送し、そして前記第２基地局から前記他のシステム情報を受信するように実行され得、前記他のシステム情報は前記第２基地局の全体システム情報のうち、前記共通情報に含まれたシステム情報を除いたシステム情報であり得る。
【００２３】
ここで、前記共通情報は、前記複数の基地局で同一に設定されたシステム情報、制御情報、物理チャネル情報、参照信号情報およびリソース割当情報のうち、少なくとも一つを含むことができる。
【００２４】
ここで、前記共通情報は前記共通情報が適用されるサービス領域を指示するＳＡ識別子を含むことができ、前記第２基地局は前記ＳＡ識別子によって指示される前記サービス領域に属し得る。
【００２５】
ここで、前記共通リソースは前記共通情報に含まれたリソース割当情報の種類によって独立的に設定され得、前記リソース割当情報は制御チャネルのためのリソース割当情報、前記ランダムアクセス手続きのためのリソース割当情報、スケジューリング要求のためのリソース割当情報およびダウンリンク伝送要求のためのリソース割当情報のうち、少なくとも一つであり得る。
【発明の効果】
【００２６】
本発明によると、第１基地局のシステム情報（例えば、共通情報）が獲得された場合、端末は第２基地局のシステム情報の獲得手続きを遂行することなく（または第２基地局の一部のシステム情報の獲得手続きを遂行した後）第１基地局のシステム情報を使って第２基地局と接続手続きを遂行することができる。また、端末は基地局から最小システム情報を受信することができ、最小システム情報以外の他のシステム情報（例えば、追加のシステム情報）が必要な場合に、他のシステム情報の伝送を要求するメッセージを基地局に伝送することができ、基地局から他のシステム情報を受信することができる。したがって、不要なシステム情報の獲得手続きが最小化され得、通信システムの性能が向上され得る。
【図面の簡単な説明】
【００２７】
【図１】通信システムの第１実施例を図示した概念図である。
【図２】通信システムを構成する通信ノードの第１実施例を図示したブロック図である。
【図３】通信システムの第２実施例を図示した概念図である。
【図４】統合通信システムの第１実施例を図示した概念図である。
【図５】統合通信システムの第２実施例を図示した概念図である。
【図６】通信システムの第３実施例を図示した概念図である。
【図７】通信システムにおける共通リソースの第１実施例を図示した概念図である。
【図８】通信システムにおける共通リソースの第２実施例を図示した概念図である。
【図９】通信システムにおける共通情報の獲得手続きの第１実施例を図示したフローチャートである。
【図１０】通信システムにおけるビームペアリング手続きの第１実施例を図示したフローチャートである。
【図１１】通信システムにおける端末の動作状態を図示した概念図である。
【図１２】通信システムにおけるダウンリンク伝送要求手続きの第１実施例を図示したフローチャートである。
【図１３】通信システムにおけるランダムアクセス手続きの第１実施例を図示したフローチャートである。
【図１４】通信システムにおける同期信号の伝送方法の第１実施例を図示したタイミング図である。
【図１５】通信システムにおけるリソース間のマッピング関係を図示した概念図である。
【発明を実施するための形態】
【００２８】
本発明は多様な変更を加えることができ、多様な実施例を有することができるところ、特定の実施例を図面に例示して詳細に説明する。しかし、これは本発明を特定の実施形態に限定しようとするものではなく、本発明の思想および技術範囲に含まれるすべての変更、均等物乃至代替物を含むものと理解されるべきである。
【００２９】
第１、第２等の用語は、多様な構成要素の説明に使用され得るが、前記構成要素は前記用語によって限定されてはならない。前記用語は一つの構成要素を他の構成要素から区別する目的でのみ使われる。例えば、本発明の権利範囲を逸脱することなく第１構成要素は第２構成要素と命名され得、同様に第２構成要素も第１構成要素と命名され得る。および／またはという用語は複数の関連した記載された項目の組み合わせまたは複数の関連した記載された項目のうちいずれかの項目を含む。
【００３０】
ある構成要素が他の構成要素に「接続されて」いるとか「連結されて」いると言及された時には、その他の構成要素に直接的に接続されていたり、または連結されていてもよいが、中間に他の構成要素が存在してもよいと理解されるべきである。その反面、ある構成要素が他の構成要素に「直接接続されて」いるとか「直接連結されて」いると言及された時には、中間に他の構成要素が存在しないものと理解されるべきである。
【００３１】
本出願で使った用語は単に特定の実施例を説明するために使われたものであって、本発明を限定しようとする意図ではない。単数の表現は文脈上明白に異なることを意味しない限り、複数の表現を含む。本出願で、「含む」または「有する」等の用語は、明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加の可能性をあらかじめ排除しないものと理解されるべきである。
【００３２】
異なって定義されない限り、技術的または科学的な用語を含んでここで使われるすべての用語は、本発明が属する技術分野で通常の知識を有する者によって一般的に理解されるものと同じ意味を有している。一般的に使われる辞書に定義されているような用語は関連技術の文脈上有する意味と一致する意味を有するものと解釈されるべきであり、本出願で明白に定義しない限り、理想的または過度に形式的な意味と解釈されない。
【００３３】
以下、添付した図面を参照して、本発明の好ましい実施例をより詳細に説明する。本発明の説明において、全体的な理解を容易にするために図面上の同じ構成要素については同じ参照符号を付し、重複する説明は省略する。
【００３４】
本発明に係る実施例が適用される通信システム（ｃｏｍｍｕｎｉｃａｔｉｏｎ  ｓｙｓｔｅｍ）について説明する。本発明に係る実施例が適用される通信システムは下記に説明された内容に限定されず、本発明に係る実施例は多様な通信システムに適用され得る。ここで、通信システムは通信ネットワーク（ｎｅｔｗｏｒｋ）と同じ意味で使用され得る。
【００３５】
図１は、通信システムの第１実施例を図示した概念図である。
【００３６】
図１を参照すると、通信システム１００は複数の通信ノード１１０−１、１１０−２、１１０−３、１２０−１、１２０−２、１３０−１、１３０−２、１３０−３、１３０−４、１３０−５、１３０−６を含むことができる。また、通信システム１００は、コアネットワーク（ｃｏｒｅ  ｎｅｔｗｏｒｋ）（例えば、Ｓ−ＧＷ（ｓｅｒｖｉｎｇ−ｇａｔｅｗａｙ）、Ｐ−ＧＷ（ＰＤＮ（ｐａｃｋｅｔ  ｄａｔａ  ｎｅｔｗｏｒｋ）−ｇａｔｅｗａｙ）、ＭＭＥ（ｍｏｂｉｌｉｔｙ  ｍａｎａｇｅｍｅｎｔ  ｅｎｔｉｔｙ））をさらに含むことができる。
【００３７】
複数の通信ノードは、３ＧＰＰ（３ｒｄ  ｇｅｎｅｒａｔｉｏｎ  ｐａｒｔｎｅｒｓｈｉｐ  ｐｒｏｊｅｃｔ）標準で規定された４Ｇ通信（例えば、ＬＴＥ（ｌｏｎｇ  ｔｅｒｍ  ｅｖｏｌｕｔｉｏｎ）、ＬＴＥ−Ａ（ａｄｖａｎｃｅｄ））、５Ｇ通信などを支援することができる。４Ｇ通信は６ＧＨｚ以下の周波数帯域で遂行され得、５Ｇ通信は６ＧＨｚ以下の周波数帯域だけでなく６ＧＨｚ以上の周波数帯域で遂行され得る。例えば、４Ｇ通信および５Ｇ通信のために複数の通信ノードは、ＣＤＭＡ（ｃｏｄｅ  ｄｉｖｉｓｉｏｎ  ｍｕｌｔｉｐｌｅ  ａｃｃｅｓｓ）基盤の通信プロトコル、ＷＣＤＭＡ（ｗｉｄｅｂａｎｄ  ＣＤＭＡ）（登録商標）基盤の通信プロトコル、ＴＤＭＡ（ｔｉｍｅ  ｄｉｖｉｓｉｏｎ  ｍｕｌｔｉｐｌｅ  ａｃｃｅｓｓ）基盤の通信プロトコル、ＦＤＭＡ（ｆｒｅｑｕｅｎｃｙ  ｄｉｖｉｓｉｏｎ  ｍｕｌｔｉｐｌｅ  ａｃｃｅｓｓ）基盤の通信プロトコル、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）基盤の通信プロトコル、Ｆｉｌｔｅｒｅｄ  ＯＦＤＭ基盤の通信プロトコル、ＣＰ（ｃｙｃｌｉｃ  ｐｒｅｆｉｘ）−ＯＦＤＭ基盤の通信プロトコル、ＤＦＴ−ｓ−ＯＦＤＭ（ｄｉｓｃｒｅｔｅ  Ｆｏｕｒｉｅｒ  ｔｒａｎｓｆｏｒｍ−ｓｐｒｅａｄ−ＯＦＤＭ）基盤の通信プロトコル、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）基盤の通信プロトコル、ＳＣ（ｓｉｎｇｌｅ  ｃａｒｒｉｅｒ）−ＦＤＭＡ基盤の通信プロトコル、ＮＯＭＡ（Ｎｏｎ−ｏｒｔｈｏｇｏｎａｌ  Ｍｕｌｔｉｐｌｅ  Ａｃｃｅｓｓ）、ＧＦＤＭ（ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ）基盤の通信プロトコル、ＦＢＭＣ（ｆｉｌｔｅｒ  ｂａｎｋ  ｍｕｌｔｉ−ｃａｒｒｉｅｒ）基盤の通信プロトコル、ＵＦＭＣ（ｕｎｉｖｅｒｓａｌ  ｆｉｌｔｅｒｅｄ  ｍｕｌｔｉ−ｃａｒｒｉｅｒ）基盤の通信プロトコル、ＳＤＭＡ（Ｓｐａｃｅ  Ｄｉｖｉｓｉｏｎ  Ｍｕｌｔｉｐｌｅ  Ａｃｃｅｓｓ）基盤の通信プロトコル、マッシブアンテナ（ｍａｓｓｉｖｅ  ａｎｔｅｎｎａ）によるビームフォーミング（ｂｅａｍｆｏｒｍｉｎｇ）方式による多重接続が可能な無線接続技術（ｒａｄｉｏ  ａｃｃｅｓｓ  ｔｅｃｈｎｏｌｏｇｙ、ＲＡＴ）基盤の通信プロトコルなどを支援することができる。複数の通信ノードのそれぞれは次のような構造を有することができる。
【００３８】
図２は、通信システムを構成する通信ノードの第１実施例を図示したブロック図である。
【００３９】
図２を参照すると、通信ノード２００は少なくとも一つのプロセッサ２１０、メモリ２２０およびネットワークと接続されて通信を遂行する送受信装置２３０を含むことができる。また、通信ノード２００は入力インタフェース装置２４０、出力インタフェース装置２５０、保存装置２６０等をさらに含むことができる。通信ノード２００に含まれたそれぞれの構成要素は、バス（ｂｕｓ）２７０により接続されて通信を遂行することができる。
【００４０】
プロセッサ２１０はメモリ２２０および保存装置２６０のうち、少なくとも一つに保存されたプログラム命令（ｐｒｏｇｒａｍ  ｃｏｍｍａｎｄ）を実行することができる。プロセッサ２１０は、中央処理装置（ｃｅｎｔｒａｌ  ｐｒｏｃｅｓｓｉｎｇ  ｕｎｉｔ、ＣＰＵ）、グラフィック処理装置（ｇｒａｐｈｉｃｓ  ｐｒｏｃｅｓｓｉｎｇ  ｕｎｉｔ、ＧＰＵ）、または本発明の実施例に係る方法が遂行される専用のプロセッサを意味し得る。メモリ２２０および保存装置２６０のそれぞれは揮発性保存媒体および不揮発性保存媒体のうち、少なくとも一つで構成され得る。例えば、メモリ２２０は読み取り専用メモリ（ｒｅａｄ  ｏｎｌｙ  ｍｅｍｏｒｙ、ＲＯＭ）およびランダムアクセスメモリ（ｒａｎｄｏｍ  ａｃｃｅｓｓ  ｍｅｍｏｒｙ、ＲＡＭ）のうち、少なくとも一つで構成され得る。
【００４１】
再び図１を参照すると、通信システム１００は複数の基地局（ｂａｓｅ  ｓｔａｔｉｏｎｓ）１１０−１、１１０−２、１１０−３、１２０−１、１２０−２、複数の端末１３０−１、１３０−２、１３０−３、１３０−４、１３０−５、１３０−６を含むことができる。基地局１１０−１、１１０−２、１１０−３、１２０−１、１２０−２および端末１３０−１、１３０−２、１３０−３、１３０−４、１３０−５、１３０−６を含む通信システム１００は、「アクセスネットワーク」と指称され得る。第１基地局１１０−１、第２基地局１１０−２および第３基地局１１０−３のそれぞれはマクロセル（ｍａｃｒｏ  ｃｅｌｌ）を形成することができる。第４基地局１２０−１および第５基地局１２０−２のそれぞれはスモールセル（ｓｍａｌｌ  ｃｅｌｌ）を形成することができる。第１基地局１１０−１のセルカバレッジ（ｃｅｌｌ  ｃｏｖｅｒａｇｅ）内に第４基地局１２０−１、第３端末１３０−３および第４端末１３０−４が属し得る。第２基地局１１０−２のセルカバレッジ内に第２端末１３０−２、第４端末１３０−４および第５端末１３０−５が属し得る。第３基地局１１０−３のセルカバレッジ内に第５基地局１２０−２、第４端末１３０−４、第５端末１３０−５および第６端末１３０−６が属し得る。第４基地局１２０−１のセルカバレッジ内に第１端末１３０−１が属し得る。第５基地局１２０−２のセルカバレッジ内に第６端末１３０−６が属し得る。
【００４２】
ここで、複数の基地局１１０−１、１１０−２、１１０−３、１２０−１、１２０−２のそれぞれは、ＡＢＳ（ａｄｖａｎｃｅｄ  ｂａｓｅ  ｓｔａｔｉｏｎ）、ＨＲ−ＢＳ（ｈｉｇｈ  ｒｅｌｉａｂｉｌｉｔｙ−ｂａｓｅ  ｓｔａｔｉｏｎ）、ノードＢ（ＮｏｄｅＢ）、高度化ノードＢ（ｅｖｏｌｖｅｄ  ＮｏｄｅＢ、ｅＮｏｄｅＢ）、ｇＮＢ、ＢＴＳ（ｂａｓｅ  ｔｒａｎｓｃｅｉｖｅｒ  ｓｔａｔｉｏｎ）、無線基地局（ｒａｄｉｏ  ｂａｓｅ  ｓｔａｔｉｏｎ）、無線トランシーバー（ｒａｄｉｏ  ｔｒａｎｓｃｅｉｖｅｒ）、アクセスポイント（ａｃｃｅｓｓ  ｐｏｉｎｔ、ＡＰ）、アクセスノード（ｎｏｄｅ）、ＲＡＳ（ｒａｄｉｏ  ａｃｃｅｓｓ  ｓｔａｔｉｏｎ）、ＭＭＲ−ＢＳ（ｍｏｂｉｌｅ  ｍｕｌｔｉｈｏｐ  ｒｅｌａｙ−ｂａｓｅ  ｓｔａｔｉｏｎ）、ＲＳ（ｒｅｌａｙ  ｓｔａｔｉｏｎ）、ＡＲＳ（ａｄｖａｎｃｅｄ  ｒｅｌａｙ  ｓｔａｔｉｏｎ）、ＨＲ−ＲＳ（ｈｉｇｈ  ｒｅｌｉａｂｉｌｉｔｙ−ｒｅｌａｙ  ｓｔａｔｉｏｎ）、スモール（ｓｍａｌｌ）基地局、フェムト（ｆｅｍｔｏ）基地局、ピコ（ｐｉｃｏ）基地局、メトロ（ｍｅｔｒｏ）基地局、マイクロ（ｍｉｃｒｏ）基地局、ＨＮＢ（ｈｏｍｅ  ＮｏｄｅＢ）、ＨｅＮＢ（ｈｏｍｅ  ｅＮｏｄｅＢ）、ＲＳＵ（ｒｏａｄ  ｓｉｄｅ  ｕｎｉｔ）、ＲＲＨ（ｒａｄｉｏ  ｒｅｍｏｔｅ  ｈｅａｄ）、ＴＰ（ｔｒａｎｓｍｉｓｓｉｏｎ  ｐｏｉｎｔ）、ＴＲＰ（ｔｒａｎｓｍｉｓｓｉｏｎ  ａｎｄ  ｒｅｃｅｐｔｉｏｎ  ｐｏｉｎｔ）等と指称され得る。また、複数の基地局１１０−１、１１０−２、１１０−３、１２０−１、１２０−２のそれぞれは、前述した個体（ｅｎｔｉｔｙ）（例えば、ＡＢＳ、ＮｏｄｅＢ、ｅＮｏｄｅＢ、ＡＰ、ＲＡＳ、ＢＴＳ、ＭＭＲ−ＢＳ、ＲＳ、ＲＮ、ＡＲＳ、ＨＲ−ＲＳ、スモール基地局、ＲＳＵ、ＲＲＨ、ＴＰ、ＴＲＰなど）の全部または一部の機能を遂行することができる。
【００４３】
複数の端末１３０−１、１３０−２、１３０−３、１３０−４、１３０−５、１３０−６のそれぞれは、ＵＥ（ｕｓｅｒ  ｅｑｕｉｐｍｅｎｔ）、ＴＥ（ｔｅｒｍｉｎａｌ  ｅｑｕｉｐｍｅｎｔ）、ＭＴ（ｍｏｂｉｌｅ  ｔｅｒｍｉｎａｌ）、ＭＳ（ｍｏｂｉｌｅ  ｓｔａｔｉｏｎ）、ＡＭＳ（ａｄｖａｎｃｅｄ  ｍｏｂｉｌｅ  ｓｔａｔｉｏｎ）、ＨＲ−ＭＳ（ｈｉｇｈ  ｒｅｌｉａｂｉｌｉｔｙ−ｍｏｂｉｌｅ  ｓｔａｔｉｏｎ）、ＳＳ（ｓｕｂｓｃｒｉｂｅｒ  ｓｔａｔｉｏｎ）、ＰＳＳ（ｐｏｒｔａｂｌｅ  ｓｕｂｓｃｒｉｂｅｒ  ｓｔａｔｉｏｎ）、ＡＴ（ａｃｃｅｓｓ  ｔｅｒｍｉｎａｌ）、デバイス（ｄｅｖｉｃｅ）、ステーション（ｓｔａｔｉｏｎ）、ＩｏＴ（Ｉｎｔｅｒｎｅｔ  ｏｆ  Ｔｈｉｎｇｓ）装置、搭載されたモジュール（ｍｏｕｎｔｅｄ  ｍｏｄｕｌｅ）、ＯＢＵ（ｏｎ  ｂｏａｒｄ  ｕｎｉｔ）等と指称され得る。また、複数の端末１３０−１、１３０−２、１３０−３、１３０−４、１３０−５、１３０−６のそれぞれは、前述した個体（例えば、ＭＴ、ＭＳ、ＡＭＳ、ＨＲ−ＭＳ、ＳＳ、ＰＳＳ、ＡＴ、ＵＥ、ＩｏＴ装置、搭載されたモジュールなど）の全部または一部の機能を遂行することができる。
【００４４】
一方、複数の基地局１１０−１、１１０−２、１１０−３、１２０−１、１２０−２のそれぞれは、互いに異なる周波数帯域で動作することができ、または同じ周波数帯域で動作することができる。複数の基地局１１０−１、１１０−２、１１０−３、１２０−１、１２０−２のそれぞれは、アイデアルバックホールリンク（ｉｄｅａｌ  ｂａｃｋｈａｕｌ  ｌｉｎｋ）またはノン（ｎｏｎ）−アイデアルバックホールリンクを通じて接続され得、アイデアルバックホールリンクまたはノン−アイデアルバックホールリンクを通じて情報を交換することができる。複数の基地局１１０−１、１１０−２、１１０−３、１２０−１、１２０−２のそれぞれは、アイデアルバックホールリンクまたはノン−アイデアルバックホールリンクを通じてコアネットワークと接続され得る。複数の基地局１１０−１、１１０−２、１１０−３、１２０−１、１２０−２のそれぞれは、コアネットワークから受信した信号を該当端末１３０−１、１３０−２、１３０−３、１３０−４、１３０−５、１３０−６に伝送することができ、該当端末１３０−１、１３０−２、１３０−３、１３０−４、１３０−５、１３０−６から受信した信号をコアネットワークに伝送することができる。
【００４５】
また、複数の基地局１１０−１、１１０−２、１１０−３、１２０−１、１２０−２のそれぞれは、ＭＩＭＯ伝送（例えば、ＳＵ（ｓｉｎｇｌｅ  ｕｓｅｒ）−ＭＩＭＯ、ＭＵ（ｍｕｌｔｉ  ｕｓｅｒ）−ＭＩＭＯ、大規模（ｍａｓｓｉｖｅ）ＭＩＭＯなど）、ＣｏＭＰ（ｃｏｏｒｄｉｎａｔｅｄ  ｍｕｌｔｉｐｏｉｎｔ）伝送、ＣＡ（ｃａｒｒｉｅｒ  ａｇｇｒｅｇａｔｉｏｎ）伝送、非免許帯域（ｕｎｌｉｃｅｎｓｅｄ  ｂａｎｄ）で伝送、端末間直接通信（ｄｅｖｉｃｅ  ｔｏ  ｄｅｖｉｃｅ  ｃｏｍｍｕｎｉｃａｔｉｏｎ、Ｄ２Ｄ）（またはＰｒｏＳｅ（ｐｒｏｘｉｍｉｔｙ  ｓｅｒｖｉｃｅｓ））等を支援することができる。ここで、複数の端末１３０−１、１３０−２、１３０−３、１３０−４、１３０−５、１３０−６のそれぞれは、基地局１１０−１、１１０−２、１１０−３、１２０−１、１２０−２と対応する動作、基地局１１０−１、１１０−２、１１０−３、１２０−１、１２０−２により支援される動作を遂行することができる。例えば、第２基地局１１０−２はＳＵ−ＭＩＭＯ方式に基づいて信号を第４端末１３０−４に伝送することができ、第４端末１３０−４はＳＵ−ＭＩＭＯ方式によって第２基地局１１０−２から信号を受信することができる。または第２基地局１１０−２はＭＵ−ＭＩＭＯ方式に基づいて信号を第４端末１３０−４および第５端末１３０−５に伝送することができ、第４端末１３０−４および第５端末１３０−５のそれぞれは、ＭＵ−ＭＩＭＯ方式によって第２基地局１１０−２から信号を受信することができる。
【００４６】
第１基地局１１０−１、第２基地局１１０−２および第３基地局１１０−３のそれぞれは、ＣｏＭＰ方式に基づいて信号を第４端末１３０−４に伝送することができ、第４端末１３０−４はＣｏＭＰ方式によって第１基地局１１０−１、第２基地局１１０−２および第３基地局１１０−３から信号を受信することができる。複数の基地局１１０−１、１１０−２、１１０−３、１２０−１、１２０−２のそれぞれは、自分のセルカバレッジ内に属した端末１３０−１、１３０−２、１３０−３、１３０−４、１３０−５、１３０−６とＣＡ方式に基づいて信号を送受信することができる。第１基地局１１０−１、第２基地局１１０−２および第３基地局１１０−３のそれぞれは、第４端末１３０−４と第５端末１３０−５間のＤ２Ｄを制御することができ、第４端末１３０−４および第５端末１３０−５のそれぞれは、第２基地局１１０−２および第３基地局１１０−３のそれぞれの制御によってＤ２Ｄを遂行することができる。
【００４７】
一方、通信システムにおける基地局は、通信プロトコルのすべての機能（例えば、遠隔無線送受信機能、ベースバンド（ｂａｓｅｂａｎｄ）処理機能）を遂行することができる。または通信プロトコルのすべての機能のうち、遠隔無線送受信機能はＴＲＰによって遂行され得、通信プロトコルのすべての機能のうち、ベースバンド処理機能はＢＢＵ（ｂａｓｅｂａｎｄ  ｕｎｉｔ）ブロックによって遂行され得る。ＴＲＰは、ＲＲＨ（ｒｅｍｏｔｅ  ｒａｄｉｏ  ｈｅａｄ）、ＲＵ（ｒａｄｉｏ  ｕｎｉｔ）、ＴＰ（ｔｒａｎｓｍｉｓｓｉｏｎ  ｐｏｉｎｔ）等であり得る。ＢＢＵブロックは少なくとも一つのＢＢＵまたは少なくとも一つのＤＵ（ｄｉｇｉｔａｌ  ｕｎｉｔ）を含むことができる。ＢＢＵブロックは、「ＢＢＵプール（ｐｏｏｌ）」、「集中化された（ｃｅｎｔｒａｌｉｚｅｄ）ＢＢＵ」等と指称され得る。ＴＲＰは有線フロントホール（ｆｒｏｎｔｈａｕｌ）リンクまたは無線フロントホールリンクを通じてＢＢＵブロックに接続され得る。バックホールリンクおよびフロントホールリンクで構成される通信システムは、次の通りであり得る。通信プロトコルの機能分離（ｆｕｎｃｔｉｏｎ  ｓｐｌｉｔ）技法が適用される場合、ＴＲＰはＢＢＵの一部機能またはＭＡＣ／ＲＬＣの一部機能を選択的に遂行することができる。
【００４８】
図３は、通信システムの第２実施例を図示した概念図である。
【００４９】
図３を参照すると、通信システムはコアネットワークおよびアクセスネットワークを含むことができる。コアネットワークは、ＭＭＥ３１０−１、Ｓ−ＧＷ３１０−２、Ｐ−ＧＷ３１０−３等を含むことができる。アクセスネットワークは、マクロ基地局３２０、スモール基地局３３０、ＴＲＰ３５０−１、３５０−２、端末３６０−１、３６０−２、３６０−３、３６０−４、３６０−５等を含むことができる。ＴＲＰ３５０−１、３５０−２は、通信プロトコルのすべての機能のうち、遠隔無線送受信機能を支援することができ、ＴＲＰ３５０−１、３５０−２のためのベースバンド処理機能は、ＢＢＵブロック３４０で遂行され得る。ＢＢＵブロック３４０はアクセスネットワークまたはコアネットワークに属し得る。通信システムに属した通信ノード（例えば、ＭＭＥ、Ｓ−ＧＷ、Ｐ−ＧＷ、マクロ基地局、スモール基地局、ＴＲＰ、端末、ＢＢＵブロック）は図２に図示された通信ノード２００と同一または類似するように構成され得る。
【００５０】
マクロ基地局３２０は、有線バックホールリンクまたは無線バックホールリンクを使ってコアネットワーク（例えば、ＭＭＥ３１０−１、Ｓ−ＧＷ３１０−２）に接続され得、通信プロトコル（例えば、４Ｇ通信プロトコル、５Ｇ通信プロトコル）に基づいて端末３６０−３、３６０−４に通信サービスを提供することができる。スモール基地局３３０は、有線バックホールリンクまたは無線バックホールリンクを使ってコアネットワーク（例えば、ＭＭＥ３１０−１、Ｓ−ＧＷ３１０−２）に接続され得、通信プロトコル（例えば、４Ｇ通信プロトコル、５Ｇ通信プロトコル）に基づいて第５端末３６０−５に通信サービスを提供することができる。
【００５１】
ＢＢＵブロック３４０は、ＭＭＥ３１０−１、Ｓ−ＧＷ３１０−２またはマクロ基地局３２０に位置することができる。またはＢＢＵブロック３４０は、ＭＭＥ３１０−１、Ｓ−ＧＷ３１０−２およびマクロ基地局３２０のそれぞれと独立的に位置することができる。例えば、ＢＢＵブロック３４０はマクロ基地局３２０とＭＭＥ３１０−１（またはＳ−ＧＷ３１０−２）の間の論理機能で構成され得る。ＢＢＵブロック３４０は複数のＴＲＰ３５０−１、３５０−２を支援することができ、有線フロントホールリンクまたは無線フロントホールリンクを使って複数のＴＲＰ３５０−１、３５０−２のそれぞれに接続され得る。すなわち、ＢＢＵブロック３４０とＴＲＰ３５０−１、３５０−２間のリンクは「フロントホールリンク」と指称され得る。
【００５２】
第１ＴＲＰ３５０−１は有線フロントホールリンクまたは無線フロントホールリンクを通じてＢＢＵブロック３４０に接続され得、通信プロトコル（例えば、４Ｇ通信プロトコル、５Ｇ通信プロトコル）に基づいて第１端末３６０−１に通信サービスを提供することができる。第２ＴＲＰ３５０−２は有線フロントホールリンクまたは無線フロントホールリンクを通じてＢＢＵブロック３４０に接続され得、通信プロトコル（例えば、４Ｇ通信プロトコル、５Ｇ通信プロトコル）に基づいて第２端末３６０−２に通信サービスを提供することができる。
【００５３】
一方、後述される実施例で、アクセスネットワーク、ＸＨａｕｌネットワークおよびコアネットワークを含む通信システムは「統合（ｉｎｔｅｇｒａｔｉｏｎ）通信システム」と指称され得る。統合通信システムに属した通信ノード（例えば、ＭＭＥ、Ｓ−ＧＷ、Ｐ−ＧＷ、ＢＢＵブロック、ＸＤＵ（Ｘｈａｕｌ  ｄｉｓｔｒｉｂｕｔｅｄ  ｕｎｉｔ）、ＸＣＵ（Ｘｈａｕｌ  ｃｏｎｔｒｏｌ  ｕｎｉｔ）、基地局、ＴＲＰ、端末など）は図２に図示された通信ノード２００と同一または類似するように構成され得る。ＸＨａｕｌネットワークに属した通信ノードはＸＨａｕｌリンクを使って接続され得、ＸＨａｕｌリンクはバックホールリンクまたはフロントホールリンクであり得る。
【００５４】
また、統合通信システムのＳ−ＧＷは基地局とパケット（例えば、制御情報、データ）を交換するコアネットワークの終端通信ノードを指称し得、統合通信システムのＭＭＥは端末の無線接続区間（またはインタフェース）で制御機能を遂行するコアネットワークの通信ノードを指称し得る。ここで、バックホールリンク、フロントホールリンク、ＸＨａｕｌリンク、ＸＤＵ、ＸＣＵ、ＢＢＵブロック、Ｓ−ＧＷおよびＭＭＥのそれぞれは、ＲＡＴ（ｒａｄｉｏ  ａｃｃｅｓｓ  ｔｅｃｈｎｏｌｏｇｙ）による通信プロトコルの機能（例えば、ＸＨａｕｌネットワークの機能、コアネットワークの機能）により他の用語と指称され得る。
【００５５】
図４は、統合通信システムの第１実施例を図示した概念図である。
【００５６】
図４を参照すると、統合通信システムはアクセスネットワーク、ＸＨａｕｌネットワークおよびコアネットワークを含むことができる。ＸＨａｕｌネットワークはアクセスネットワークとコアネットワークの間に位置することができ、アクセスネットワークとコアネットワーク間の通信を支援することができる。統合通信システムに属した通信ノードは、図２に図示された通信ノード２００と同一または類似するように構成され得る。アクセスネットワークは、ＴＲＰ４３０、端末４４０等を含むことができる。ＸＨａｕｌネットワークは複数の通信ノード４２０−１、４２０−２、４２０−３を含むことができる。ＸＨａｕｌネットワークを構成する通信ノードは「ＸＤＵ」と指称され得る。ＸＨａｕｌネットワークでＸＤＵ４２０−１、４２０−２、４２０−３は無線ＸＨａｕｌリンクを使って接続され得、マルチホップ（ｍｕｌｔｉ−ｈｏｐ）方式に基づいて接続され得る。コアネットワークはＳ−ＧＷ／ＭＭＥ４１０−１、Ｐ−ＧＷ４１０−２等を含むことができる。Ｓ−ＧＷ／ＭＭＥ４１０−１はＳ−ＧＷとＭＭＥを含む通信ノードを指称し得る。ＢＢＵブロック４５０はＳ−ＧＷ／ＭＭＥ４１０−１に位置することができ、有線リンクを通じて第３ＸＤＵ４２０−３と接続され得る。
【００５７】
ＸＨａｕｌネットワークの第１ＸＤＵ４２０−１は有線リンクを使ってＴＲＰ４３０に接続され得る。または第１ＸＤＵ４２０−１はＴＲＰ４３０に統合されるように構成され得る。第２ＸＤＵ４２０−２は無線リンク（例えば、無線ＸＨａｕｌリンク）を使って第１ＸＤＵ４２０−１および第３ＸＤＵ４２０−３のそれぞれに接続され得、第３ＸＤＵ４２０−３は有線リンクを使ってコアネットワークの終端通信ノード（例えば、Ｓ−ＧＷ／ＭＭＥ４１０−１）と接続され得る。ＸＨａｕｌネットワークの複数のＸＤＵ４２０−１、４２０−２、４２０−３のうち、コアネットワークの終端通信ノードと接続されるＸＤＵは「ＸＤＵアグリゲーター（ａｇｇｒｅｇａｔｏｒ）」と指称され得る。すなわち、ＸＨａｕｌネットワークで第３ＸＤＵ４２０−３はＸＤＵアグリゲーターであり得る。ＸＤＵアグリゲーターの機能はコアＳ−ＧＷ／ＭＭＥ４１０−１により遂行され得る。
【００５８】
複数のＸＤＵ４２０−１、４２０−２、４２０−３間の通信は、アクセスプロトコル（例えば、端末４４０とＴＲＰ４３０（またはマクロ基地局、スモール基地局）間の通信のために使われる通信プロトコル）と他のＸＨａｕｌリンクのための通信プロトコル（以下、「ＸＨａｕｌプロトコル」という）を使って遂行され得る。ＸＨａｕｌプロトコルが適用されたパケットは、ＸＨａｕｌリンクを通じてコアネットワークおよびアクセスネットワークのそれぞれに伝送され得る。ここで、パケットは制御情報、データなどを指示することができる。
【００５９】
ＴＲＰ４３０はアクセスプロトコル（例えば、４Ｇ通信プロトコル、５Ｇ通信プロトコル）を使って端末４４０に通信サービスを提供することができ、有線リンクを使って第１ＸＤＵ４２０−１に接続され得る。ＴＲＰ４３０は通信プロトコルのすべての機能のうち、遠隔無線送受信機能を支援することができ、ＴＲＰ４３０のためのベースバンド処理機能はＢＢＵブロック４５０で遂行され得る。遠隔無線送受信機能を遂行するＴＲＰ４３０とベースバンド処理機能を遂行するＢＢＵブロック４５０間のリンク（例えば、「ＴＲＰ４３０−第１ＸＤＵ４２０−１−第２ＸＤＵ４２０−２−第３ＸＤＵ４２０−３−ＢＢＵブロック４５０（またはＳ−ＧＷ／ＭＭＥ４１０−１）」のリンク）は、「フロントホールリンク」と指称され得る。例えば、ベースバンド処理機能を遂行するＢＢＵブロック４５０の位置によりフロントホールリンクは異なって設定され得る。
【００６０】
図５は、統合通信システムの第２実施例を図示した概念図である。
【００６１】
図５を参照すると、統合通信システムはアクセスネットワーク、ＸＨａｕｌネットワークおよびコアネットワークを含むことができる。ＸＨａｕｌネットワークはアクセスネットワークとコアネットワークの間に位置することができ、アクセスネットワークとコアネットワーク間の通信を支援することができる。統合通信システムに属した通信ノードは、図２に図示された通信ノード２００と同一または類似するように構成され得る。アクセスネットワークは、マクロ基地局５３０、スモール基地局５４０、ＴＲＰ５５０、端末５６０−１、５６０−２、５６０−３等を含むことができる。ＸＨａｕｌネットワークは、複数の通信ノード５２０−１、５２０−２、５２０−３、５２０−４、５２０−５、５２０−６を含むことができる。ＸＨａｕｌネットワークを構成する通信ノードは、「ＸＤＵ」と指称され得る。ＸＨａｕｌネットワークでＸＤＵ５２０−１、５２０−２、５２０−３、５２０−４、５２０−５、５２０−６は無線ＸＨａｕｌリンクを使って接続され得、マルチホップ方式に基づいて接続され得る。ＢＢＵブロック５７０は、複数のＸＤＵ５２０−１、５２０−２、５２０−３、５２０−４、５２０−５、５２０−６のうち、一つのＸＤＵに位置することができる。例えば、ＢＢＵブロック５７０は第６ＸＤＵ５２０−６に位置することができる。コアネットワークはＳ−ＧＷ／ＭＭＥ５１０−１、Ｐ−ＧＷ５１０−２等を含むことができる。Ｓ−ＧＷ／ＭＭＥ５１０−１はＳ−ＧＷとＭＭＥを含む通信ノードを指称し得る。
【００６２】
ＸＨａｕｌネットワークの第１ＸＤＵ５２０−１は、有線リンクを使ってマクロ基地局５３０に接続され得るか、マクロ基地局５３０に統合されるように構成され得る。ＸＨａｕｌネットワークの第２ＸＤＵ５２０−２は、有線リンクを使ってスモール基地局５４０に接続され得るか、スモール基地局５４０に統合されるように構成され得る。ＸＨａｕｌネットワークの第５ＸＤＵ５２０−５は、有線リンクを使ってＴＲＰ５５０に接続され得るか、ＴＲＰ５５０に統合されるように構成され得る。
【００６３】
ＸＨａｕｌネットワークの第４ＸＤＵ５２０−４は、有線リンクを使ってコアネットワークの終端通信ノード（例えば、Ｓ−ＧＷ／ＭＭＥ５１０−１）と接続され得る。複数のＸＤＵ５２０−１、５２０−２、５２０−３、５２０−４、５２０−５、５２０−６のうち、コアネットワークの終端通信ノードと接続されるＸＤＵは、「ＸＤＵアグリゲーター」と指称され得る。すなわち、コアネットワークで第４ＸＤＵ５２０−４はＸＤＵアグリゲーターであり得る。複数のＸＤＵ５２０−１、５２０−２、５２０−３、５２０−４、５２０−５、５２０−６間の通信は、ＸＨａｕｌプロトコルを使って遂行され得る。ＸＨａｕｌプロトコルが適用されたパケット（例えば、データ、制御情報）は、ＸＨａｕｌリンクを通じてコアネットワークおよびアクセスネットワークのそれぞれに伝送され得る。
【００６４】
マクロ基地局５３０は、アクセスプロトコル（例えば、４Ｇ通信プロトコル、５Ｇ通信プロトコル）を使って第１端末５６０−１に通信サービスを提供することができ、有線リンクを使って第１ＸＤＵ５２０−１に接続され得る。マクロ基地局５３０はＸＨａｕｌネットワークを通じてコアネットワークに接続され得、「マクロ基地局５３０−第１ＸＤＵ５２０−１−第４ＸＤＵ５４０−４−Ｓ−ＧＷ／ＭＭＥ５１０−１」のリンクは「バックホールリンク」と指称され得る。スモール基地局５４０はアクセスプロトコル（例えば、４Ｇ通信プロトコル、５Ｇ通信プロトコル）を使って第２端末５６０−２に通信サービスを提供することができ、有線リンクを使って第２ＸＤＵ５２０−２に接続され得る。スモール基地局５４０はＸＨａｕｌネットワークを通じてコアネットワークに接続され得、「スモール基地局５４０−第２ＸＤＵ５２０−２−第３ＸＤＵ５４０−３−第４ＸＤＵ５４０−４−Ｓ−ＧＷ／ＭＭＥ５１０−１」のリンクは「バックホールリンク」と指称され得る。
【００６５】
ＴＲＰ５５０はアクセスプロトコル（例えば、４Ｇ通信プロトコル、５Ｇ通信プロトコル）を使って第３端末５６０−３に通信サービスを提供することができ、有線リンクを使って第５ＸＤＵ５２０−５に接続され得る。ＴＲＰ５５０は通信プロトコルのすべての機能のうち、遠隔無線送受信機能を支援することができ、ＴＲＰ５５０のためのベースバンド処理機能はＢＢＵブロック５７０で遂行され得る。遠隔無線送受信機能を遂行するＴＲＰ５５０とベースバンド処理機能を遂行するＢＢＵブロック５７０間のリンク（例えば、「ＴＲＰ５５０−第１ＸＤＵ５２０−５−ＢＢＵブロック５７０（または第６ＸＤＵ５２０−６）」のリンク）は「フロントホールリンク」と指称され得、ＢＢＵブロック５７０とＳ−ＧＷ／ＭＭＥ５１０−１間のリンク（例えば、「ＢＢＵブロック５７０（または第６ＸＤＵ５２０−６）−第４ＸＤＵ５２０−４−Ｓ−ＧＷ／ＭＭＥ５１０−１」のリンク）は、「バックホールリンク」と指称され得る。例えば、ベースバンド処理機能を遂行するＢＢＵブロック５７０の位置によりフロントホールリンクは異なって設定され得る。
【００６６】
次いで、通信システムにおけるシステム情報の獲得手続きを最小化するための接続制御方法を説明する。通信ノードのうち、第１通信ノードで遂行される方法（例えば、信号の伝送または受信）が説明される場合にも、これに対応する第２通信ノードは第１通信ノードで遂行される方法と相応する方法（例えば、信号の受信または伝送）を遂行することができる。すなわち、端末の動作が説明された場合に、これに対応する基地局は端末の動作と相応する動作を遂行することができる。その反対に、基地局の動作が説明された場合に、これに対応する端末は基地局の動作と相応する動作を遂行することができる。
【００６７】
図６は、通信システムの第３実施例を図示した概念図である。
【００６８】
図６を参照すると、通信システムは、第１基地局６１０−１、第２基地局６１０−２、第３基地局６１０−３、端末６２０等を含むことができる。図６の通信システムは、図１の通信システム１００、図３の通信システム、図４の統合通信システムまたは図５の統合通信システムに属し得る。例えば、下記で説明される実施例は、統合通信システムのマクロ基地局、スモール基地局、ＴＲＰ、ＸＤＵ、端末などに適用され得る。基地局６１０−１、６１０−２、６１０−３および端末は、図２に図示された通信ノード２００と同一に構成され得る。
【００６９】
通信システムは複数のサービス領域（ｓｅｒｖｉｃｅ  ａｒｅａ、ＳＡ）を含むことができ、通信システムの制御個体（例えば、ＭＭＥ、Ｓ−ＧＷ、Ｐ−ＧＷ）は、複数のサービス領域のそれぞれを管理／制御することができる。基地局６１０−１、６１０−２、６１０−３（例えば、基地局６１０−１、６１０−２、６１０−３のセルカバレッジ）は一つのサービス領域に属し得、基地局６１０−１、６１０−２、６１０−３のそれぞれのセルカバレッジは互いに重なり得る。例えば、基地局６１０−１、６１０−２、６１０−３は特定エリア（例えば、交差点、道路の合流地点、道路の分岐地点など）に位置することができる。基地局６１０−１、６１０−２、６１０−３は有線インタフェース（例えば、Ｘ２インタフェース）または無線インタフェースを通じて接続され得る。端末６２０は移動性を有し得る。例えば、端末６２０は基地局６１０−１、６１０−２、６１０−３のそれぞれのセルカバレッジで移動することができる。
【００７０】
特定領域（例えば、サービス領域）に複数の基地局６１０−１、６１０−２、６１０−３が位置する場合、特定領域（例えば、サービス領域）に位置した端末６２０に対する効率的な制御と通信システムの性能向上のために、複数の基地局６１０−１、６１０−２、６１０−３のための共通リソース（資源）および共通情報が設定され得る。ここで、サービス領域は通信システムの全体領域または一部領域であり得る。共通リソースおよび共通情報は一つのサービス領域に属した複数の基地局６１０−１、６１０−２、６１０−３で同一に設定され得、共有され得る。共通リソースおよび共通情報は通信システムの制御個体によって設定され得、この場合に通信システムの制御個体が共通リソースおよび共通情報を複数の基地局６１０−１、６１０−２、６１０−３に知らせることができる。
【００７１】
または共通リソースおよび共通情報は、複数の基地局６１０−１、６１０−２、６１０−３間の協商手続きによって設定され得る。例えば、複数の基地局６１０−１、６１０−２、６１０−３は、有線インタフェースまたは無線インタフェースを使って共通リソースおよび共通情報の設定のための協商手続きを遂行することができる。この場合、複数の基地局６１０−１、６１０−２、６１０−３は、セルカバレッジに属した端末関連情報（例えば、密集度、移動経路、移動速度など）を互いに交換することができ、端末関連情報に基づいて共通リソースの大きさを決定することができる。共通リソースの大きさの決定手続きは、あらかじめ設定された時間または非周期的（例えば、あらかじめ設定されたイベントが発生した場合）に遂行され得る。例えば、あらかじめ設定されたイベントが発生した場合、複数の基地局６１０−１、６１０−２、６１０−３は、共通リソースの大きさの決定手続きを開始することができる。またはあらかじめ設定されたイベントが発生した場合、端末６２０は複数の基地局６１０−１、６１０−２、６１０−３に共通リソースの大きさの決定手続きの遂行を要求することができる。
【００７２】
共通情報は複数の基地局６１０−１、６１０−２、６１０−３で使われる同じ情報を指示することができ、共通情報は共通リソースを通じて伝送され得る。共通情報はシステム情報、制御情報、物理チャネル設定／割当情報、参照信号（ｒｅｆｅｒｅｎｃｅ  ｓｉｇｎａｌ）設定／割当情報、リソース割当情報などを含むことができる。また、共通情報は共通情報が適用されるサービス領域を指示するＳＡ識別子、共通情報が有効に使われる時間を指示する区間指示子などをさらに含むことができる。例えば、ＳＡ識別子を含む共通情報は、同一のＳＡ識別子が適用されるサービス領域に属した複数の基地局で同一に適用され得る。したがって、端末６２０の移動により基地局（例えば、端末６２０が属した基地局のセルカバレッジ）が変更される場合にも、同一のＳＡ識別子が適用される該当サービス領域で端末６２０は前述した共通情報（例えば、システム情報、ランダムアクセスリソースなどの物理チャネル設定／割当情報）を新しく獲得するのではなく、すでに保存された共通情報を使うことができる。ただし、新しい基地局（またはセル）で他のＳＡ識別子が適用される場合には、端末６２０は共通情報を新しく獲得する手続きを遂行しなければならない。
【００７３】
万一、共通情報が通信システムの全体領域に適用される場合、ＳＡ識別子および区間指示子は共通情報から省略され得る。ここで、端末６２０は共通情報に含まれたＳＡ識別子および区間指示子に基づいて該当基地局（例えば、第１基地局６１０−１、第２基地局６１０−２または第３基地局６１０−３）との通信（例えば、ランダムアクセス手続き（ｒａｎｄｏｍ  ａｃｃｅｓｓ  ｐｒｏｃｅｄｕｒｅ）、セル選択手続き（ｃｅｌｌ  ｓｅｌｅｃｔｉｏｎ  ｐｒｏｃｅｄｕｒｅ）、セル再選択手続き（ｃｅｌｌ  ｒｅｓｅｌｅｃｔｉｏｎ  ｐｒｏｃｅｄｕｒｅ））のために共通情報を使うかを決定することができる。または共通情報は共通情報が適用されるサービス領域を指示するために、特定コードシークエンスに基づいてマスキング（ｍａｓｋｉｎｇ）され得、共通情報が適用されるサービス領域を指示するために特定パターン（ｐａｔｔｅｒｎ）を有する参照信号を含むことができる。
【００７４】
リソース割当情報は、ダウンリンクリソース割当情報およびアップリンクリソース割当情報を含むことができる。例えば、リソース割当情報は、制御チャネルのためのリソース割当情報、ランダムアクセス手続きのためのリソース割当情報、スケジューリング要求（ｓｃｈｅｄｕｌｉｎｇ  ｒｅｑｕｅｓｔ）手続き（例えば、リソース要求手続き）のためのリソース割当情報、ダウンリンク伝送要求のためのリソース割当情報、Ｄ２Ｄ通信のためのリソース割当情報（例えば、ディスカバリー（ｄｉｓｃｏｖｅｒｙ）手続きのためのリソースプール（ｒｅｓｏｕｒｃｅ  ｐｏｏｌ）、データ送受信手続きのためのリソースプール、制御信号の送受信手続きのためのリソース割当情報など）等を含むことができる。
【００７５】
リソース割当情報は、周波数リソースを指示するために使われるパラメーター（ｐａｒａｍｅｔｅｒ）として、中心周波数、システム帯域幅、サブキャリアインデックスなどを含むことができる。また、リソース割当情報は、時間リソースを指示するために使われるパラメーターとして、ラジオフレームインデックス（例えば、ＳＦＮ（ｓｙｓｔｅｍ  ｆｒａｍｅ  ｎｕｍｂｅｒ））、サブフレームインデックス、ＴＴＩ（ｔｒａｎｓｍｉｓｓｉｏｎ  ｔｉｍｅ  ｉｎｄｅｘ）、スロット（ｓｌｏｔ）インデックス、ミニスロット（ｍｉｎｉ−ｓｌｏｔ）インデックス、シンボル（ｓｙｍｂｏｌ）インデックス、送受信時間関連情報（例えば、周期、区間、ウインドウ）等を含むことができる。ここで、インデックスは番号を指示することができる。また、リソース割当情報は、リソースホッピングパターン（ｒｅｓｏｕｒｃｅ  ｈｏｐｐｉｎｇ  ｐａｔｔｅｒｎ）、ビームフォーミング関連情報（例えば、ビーム設定情報、ビームインデックス）、コードシークエンス（ｃｏｄｅ  ｓｅｑｕｅｎｃｅ）（例えば、ビットシークエンス、信号シークエンス）等を含むことができる。
【００７６】
一方、共通情報が伝送される共通リソースは次の通り設定され得る。
【００７７】
図７は、通信システムにおける共通リソースの第１実施例を図示した概念図である。
【００７８】
図７を参照すると、周波数帯域＃１は図６の第１基地局６１０−１に割り当てられ得、周波数帯域＃２は図６の第２基地局６１０−２に割り当てられ得、周波数帯域＃３は図６の第３基地局６１０−３に割り当てられ得る。複数の基地局６１０−１、６１０−２、６１０−３は、割り当てられた周波数帯域を使って通信を遂行することができる。共通情報の伝送のために共通リソース＃１および共通リソース＃２のうち、少なくとも一つが使われ得、共通リソース＃１および共通リソース＃２のそれぞれの割当パターン（例えば、割り当てられた周波数リソース、割り当てられた時間リソース、割当周期など）は多様に設定され得る。
【００７９】
例えば、周波数軸で共通リソース＃１の位置は、複数の基地局６１０−１、６１０−２、６１０−３のそれぞれに割り当てられた周波数帯域のうち、中心領域であり得、周波数軸で共通リソース＃２の位置は複数の基地局６１０−１、６１０−２、６１０−３のそれぞれに割り当てられた周波数帯域のうち、縁部領域であり得る。ラジオフレームが１０個のサブフレームを含む場合、時間軸で共通リソース＃１は５個のサブフレームごとに割り当てられ得、時間軸で共通リソース＃２は２０個のサブフレーム（例えば、２個のラジオフレーム）ごとに割り当てられ得る。
【００８０】
この場合、複数の基地局６１０−１、６１０−２、６１０−３は互いに異なる周波数帯域で設定された共通リソースを使って共通情報を伝送することができる。ただし、時間軸で共通リソースの位置は周波数帯域＃０〜＃３で同じであり得る。例えば、第１基地局６１０−１は周波数帯域＃１に設定された共通リソース＃１および共通リソース＃２のうち、少なくとも一つを使って共通情報を伝送することができ、第２基地局６１０−２は周波数帯域＃２に設定された共通リソース＃１および共通リソース＃２のうち、少なくとも一つを使って共通情報を伝送することができ、第３基地局６１０−３は周波数帯域＃３に設定された共通リソース＃１および共通リソース＃２のうち、少なくとも一つを使って共通情報を伝送することができる。また、共通リソース＃１および共通リソース＃２のそれぞれは、ダウンリンク伝送、アップリンク伝送、サイドリンク（ｓｉｄｅｌｉｎｋ）伝送などのために使用され得る。
【００８１】
図８は、通信システムにおける共通リソースの第２実施例を図示した概念図である。
【００８２】
図８を参照すると、周波数帯域＃１は図６の第１基地局６１０−１に割り当てられ得、周波数帯域＃２は図６の第２基地局６１０−２に割り当てられ得、周波数帯域＃３は図６の第３基地局６１０−３に割り当てられ得る。複数の基地局６１０−１、６１０−２、６１０−３は、割り当てられた周波数帯域を使って通信を遂行することができる。共通情報の伝送のために使われる共通リソースは周波数帯域＃２で設定され得る。例えば、周波数軸で共通リソースの位置は周波数帯域＃２のうち、縁部領域であり得る。ラジオフレームが１０個のサブフレームを含む場合、時間軸で共通リソースは２０個のサブフレーム（例えば、２個のラジオフレーム）ごとに割り当てられ得る。この場合、複数の基地局６１０−１、６１０−２、６１０−３は同じ共通リソース（例えば、周波数帯域＃２に設定された共通リソース）を使って共通情報を伝送することができる。また、共通リソースはダウンリンク伝送、アップリンク伝送、サイドリンク伝送などのために使用され得る。
【００８３】
図７および図８に図示された共通リソースの設定情報は、割当パターン（例えば、割り当てられた周波数リソース、割り当てられた時間リソース、割当周期など）を含むことができる。共通リソースの割当周期は、通信システムで規定されたスケジューリング（例えば、リソース割当）の最小周期の倍数または絶対時間で設定され得る。例えば、スケジューリングの最小周期が一つのシンボルである場合に、共通リソースの割当周期はシンボルの倍数で設定され得、スケジューリングの最小周期が一つのＴＴＩである場合に共通リソースの割当周期はＴＴＩの倍数で設定され得る。または共通リソースの割当周期は、絶対時間の単位であるマイクロ秒（ｍｉｃｒｏｓｅｃｏｎｄ）、ミリ秒（ｍｉｌｌｉｓｅｃｏｎｄ）、秒（ｓｅｃｏｎｄ）、分方（ｍｉｎｕｔｅ）等で設定され得る。複数の基地局６１０−１、６１０−２、６１０−３は、システム情報の伝送手続きまたは別途の制御情報のシグナリング手続きを通じて共通リソースの設定情報を端末６２０に知らせることができる。ここで、シグナリング手続きは、ＲＲＣ階層（レイヤ）の専用制御メッセージ、ＭＡＣ階層の制御メッセージ（例えば、ＭＡＣ制御ＰＤＵまたはエレメント（ｅｌｅｍｅｎｔ））、物理階層制御チャネルの制御フィールド／パラメーターなどを使って制御情報を伝送する手続きを意味し得る。
【００８４】
一方、共通リソースは共通情報に含まれた情報の種類によって設定され得る。例えば、制御チャネルのためのリソース割当情報、ランダムアクセス手続きのためのリソース割当情報、スケジューリング要求のためのリソース割当情報およびダウンリンク伝送要求のためのリソース割当情報のそれぞれのための共通リソースは、互いに異なるように設定され得る。この場合、図７で共通リソース＃１は制御チャネルのためのリソース割当情報の伝送のために使われ得、図７で共通リソース＃２はランダムアクセス手続きのためのリソース割当情報の伝送のために使用され得る。互いに異なる種類の情報を含む共通情報のための共通リソースは複数の基地局６１０−１、６１０−２、６１０−３で互いに異なるように設定され得、同じ種類の情報を含む共通情報のための共通リソースは複数の基地局６１０−１、６１０−２、６１０−３で同一に設定され得る。
【００８５】
一方、ランダムアクセス手続きのためのリソース割当情報（またはスケジューリング要求のためのリソース割当情報、ダウンリンク伝送要求のためのリソース割当情報）を含む共通情報は、複数の基地局６１０−１、６１０−２、６１０−３がランダムアクセス手続きのためのリソース（またはスケジューリング要求のためのリソース、ダウンリンク伝送要求のためのリソース）を絶対的にまたは相対的に同一に設定することを意味し得る。
【００８６】
リソースが絶対的に同一に設定されることは、周波数リソースを指示するパラメーター（例えば、サブキャリアインデックス）、時間リソースを指示するパラメーター（例えば、ラジオフレームインデックス、サブフレームインデックス、ＴＴＩ、スロットインデックス、ミニスロットインデックス、シンボルインデックスなど）、送受信時間関連情報（例えば、周期、区間、ウインドウ）、リソースホッピングパターン、ビームフォーミング関連情報（例えば、ビーム設定情報、ビームインデックス）およびコードシークエンス（例えば、ビットシークエンス、信号シークエンス）のそれぞれが同じ値（または同じ範囲）で設定されることを指示することができる。
【００８７】
リソースが相対的に同一に設定されることは、周波数リソースを指示するパラメーター、時間リソースを指示するパラメーター、送受信時間関連情報、リソースホッピングパターン、ビームフォーミング関連情報およびコードシークエンスのそれぞれが基準値（ｒｅｆｅｒｅｎｃｅ  ｖａｌｕｅ）とオフセット（ｏｆｆｓｅｔ）に基づいて設定されることを指示することができる。端末６２０が属したセルカバレッジが変更される場合にも、端末６２０は基準値とオフセットを使って端末６２０が現在属したセルカバレッジを支援する基地局の共通リソースを知ることができる。
【００８８】
例えば、周波数軸で共通リソースの位置は、サブキャリアの基準値（例えば、全体周波数帯域で最も大きい周波数を有するサブキャリアまたは最も小さい周波数を有するサブキャリア）とオフセット（例えば、ｘ個のサブキャリア）により指示され得る。ｘは０以上の自然数、整数または実数であり得る。また、時間軸で共通リソースの位置は、時間リソースを指示するパラメーター、送受信時間関連情報、リソースホッピングパターン、ビームフォーミング関連情報およびコードシークエンスのそれぞれの基準値とオフセットによって指示され得る。
【００８９】
また、周波数軸または時間軸で共通リソースの位置は、モジュラー（ｍｏｄｕｌａｒ）演算によって設定され得る。モジュラー演算のために、基地局の識別子、システム帯域幅、ＦＦＴ（ｆａｓｔ  Ｆｏｕｒｉｅｒ  ｔｒａｎｓｆｏｒｍ）の大きさ、サブキャリアの個数、サブキャリアインデックス、ＳＦＮ、ラジオフレーム（またはサブフレーム、シンボル）の個数、ラジオフレームインデックス（またはサブフレームインデックス、シンボルインデックス）、基地局（または基地局グループ）の識別のために使われるシークエンス（例えば、スクランブリング（ｓｃｒａｍｂｌｉｎｇ）シークエンス）等が使用され得る。
【００９０】
一方、図６〜図８を参照して説明された実施例に基づいた共通情報の獲得手続きは次のように遂行され得る。
【００９１】
図９は、通信システムにおける共通情報の獲得手続きの第１実施例を図示したフローチャートである。
【００９２】
図９を参照すると、通信システムは、第１基地局６１０−１、第２基地局６１０−２、第３基地局６１０−３、端末６２０等を含むことができる。図９の通信システムは、図６の通信システムと同じであり得る。例えば、図９の第１基地局６１０−１、第２基地局６１０−２、第３基地局６１０−３および端末６２０のそれぞれは、図６の第１基地局６１０−１、第２基地局６１０−２、第３基地局６１０−３および端末６２０と同じであり得る。複数の基地局６１０−１、６１０−２、６１０−３は一つのサービス領域に位置することができ、端末６２０は該当サービス領域に位置することができる。また、基地局６１０−１、６１０−２、６１０−３および端末は、図２に図示された通信ノード２００と同一に構成され得る。
【００９３】
複数の基地局６１０−１、６１０−２、６１０−３は、共通リソースおよび共通情報の設定手続きを遂行できる（Ｓ９０１）。共通リソースおよび共通情報の設定手続きは図６〜図８を参照して説明された方式と同一または類似するように遂行され得る。例えば、通信システムの制御個体（例えば、ＭＭＥ、Ｓ−ＧＷ、Ｐ−ＧＷ）が共通リソースおよび共通情報を設定することができ、設定された共通リソースおよび共通情報を複数の基地局６１０−１、６１０−２、６１０−３に知らせることができる。または複数の基地局６１０−１、６１０−２、６１０−３間の協商手続きによって共通リソースおよび共通情報が設定され得る。段階Ｓ９０１で設定された共通リソースは、図７または図８に図示された共通リソースと同じであり得る。ここで、共通情報は複数の基地局６１０−１、６１０−２、６１０−３で使われる同じ情報を指示することができる。共通情報は、システム情報、制御情報、物理チャネル設定／割当情報、参照信号設定／割当情報、リソース割当情報、共通情報が適用されるサービス領域を指示するＳＡ識別子、共通情報が有効に使われる時間を指示する区間指示子などを含むことができる。
【００９４】
複数の基地局６１０−１、６１０−２、６１０−３は共通リソースの設定情報を生成することができる。共通リソースの設定情報は図７または図８に図示された共通リソースの割当パターン（例えば、割り当てられた周波数リソース、割り当てられた時間リソース、割当周期など）を含むことができる。複数の基地局６１０−１、６１０−２、６１０−３は、共通リソースの設定情報をシステム情報の伝送手続きまたは別途の制御情報のシグナリング手続きを通じて伝送することができる（Ｓ９０２）。
【００９５】
一方、端末９２０は第１基地局６１０−１と接続確立（ｃｏｎｎｅｃｔｉｏｎ  ｅｓｔａｂｌｉｓｈｍｅｎｔ）手続きを完了した状態であり得、ＲＲＣ＿コネクテッド状態（ｒａｄｉｏ  ｒｅｓｏｕｒｃｅ  ｃｏｎｔｒｏｌ＿ｃｏｎｎｅｃｔｅｄ  ｓｔａｔｅ）で動作することができる。段階Ｓ９０２で端末６２０が第１基地局６１０−１のセルカバレッジ内に位置した場合、端末６２０はシステム情報の伝送手続きまたは別途の制御情報のシグナリング手続きを通じて第１基地局６１０−１から共通リソースの設定情報を獲得することができる（Ｓ９０３）。したがって、端末６２０は共通リソースの設定情報に基づいて複数の基地局６１０−１、６１０−２、６１０−３のための共通リソースの位置を識別することができる。すなわち、端末６２０は共通リソースの設定情報に基づいて図７または図８に図示された共通リソースの位置を識別することができる。
【００９６】
複数の基地局６１０−１、６１０−２、６１０−３は共通リソースを使って共通情報を伝送することができる（Ｓ９０４）。端末６２０は、段階Ｓ９０３で識別された共通リソースに対するモニタリング動作を遂行することによって、複数の基地局６１０−１、６１０−２、６１０−３のための共通情報を獲得することができる（Ｓ９０５）。例えば、段階Ｓ９０４および段階Ｓ９０５で端末６２０が第１基地局６１０−１のセルカバレッジ内に位置した場合、端末６２０は第１基地局６１０−１から共通情報を受信することができる。その後、端末６２０が第１基地局６１０−１のセルカバレッジで第２基地局６１０−２のセルカバレッジに移動した場合、端末６２０は第２基地局６１０−２の共通情報の獲得手続きを遂行することなく段階Ｓ９０５で第１基地局６１０−１から獲得した共通情報を使って第２基地局６１０−２と通信（例えば、ランダムアクセス手続き、スケジューリング要求手続き、ダウンリンク伝送要求手続きなど）を遂行することができる。ここで、端末６２０と第２基地局６１０−２間の接続確立手続きが完了していない場合にも、端末６２０は第２基地局６１０−２と通信を遂行することができる。また、端末６２０は第２基地局６１０−２と通信を遂行するために、第２基地局６１０−２から追加のシステム情報（例えば、他の（ｏｔｈｅｒ）システム情報）を獲得することができる。
【００９７】
または段階Ｓ９０４および段階Ｓ９０５で端末６２０が第２基地局６１０−２のセルカバレッジ内に位置した場合、端末６２０は第１基地局６１０−１から獲得した共通リソースの設定情報に基づいて第２基地局６１０−２から共通情報を受信することができる。この場合、端末６２０は第２基地局６１０−２から獲得した共通情報を使って第２基地局６１０−２と通信（例えば、ランダムアクセス手続き、スケジューリング要求手続き、ダウンリンク伝送要求手続きなど）を遂行することができる。ここで、端末６２０と第２基地局６１０−２間の接続確立手続きが完了していない場合にも、端末６２０は第２基地局６１０−２と通信を遂行することができる。
【００９８】
一方、端末６２０が第１基地局６１０−１のセルカバレッジで第２基地局６１０−２のセルカバレッジに移動した場合、端末６２０は第２基地局６１０−２の同期を獲得するために、あらかじめ設定されたリソースに対するモニタリング動作を遂行することによって同期信号およびＲＲＭ（ｒａｄｉｏ  ｒｅｓｏｕｒｃｅ  ｍａｎａｇｅｍｅｎｔ）測定信号のうち、少なくとも一つを受信することができる。あらかじめ設定されたリソースは段階Ｓ９０２で第１基地局６１０−１から獲得した設定情報によって指示される共通リソースであり得る。端末６２０は第２基地局６１０−２から受信した同期信号およびＲＲＭ測定信号のうち、少なくとも一つに基づいて第２基地局６１０−２の同期を獲得することができる。すなわち、端末６２０は第２基地局６２０−２のために設定された時間リソースの位置（例えば、サブフレームインデックス）と第２基地局６２０−２のために設定された周波数リソースの位置（例えば、ＲＢ（ｒｅｓｏｕｒｃｅ  ｂｌｏｃｋ）インデックス、サブキャリアインデックス）を識別することができる。
【００９９】
端末６２０は、第１基地局６１０−１から受信した共通情報（例えば、共通情報に含まれたシステム情報）または別途に受信したメッセージに基づいて第１基地局６１０−１のために設定された周波数帯域＃１で共通リソース＃１と共通リソース＃２間のマッピング（ｍａｐｐｉｎｇ）関係が第２基地局６１０−２のために設定された周波数帯域＃２で同一に適用されることを識別することができる。共通リソース＃１と共通リソース＃２間のマッピング関係は、時間リソースの相対的な差（例えば、サブフレームインデックスオフセット（ｏｆｆｓｅｔ））と周波数リソースの相対的な差（例えば、ＲＢインデックスオフセット、サブキャリアインデックスオフセット）により指示され得る。または共通リソース＃１と共通リソース＃２間のマッピング関係は、絶対的な（ａｂｓｏｌｕｔｅ）インデックス（例えば、絶対的な値、絶対的な範囲（ｒａｎｇｅ））により指示され得る。
【０１００】
第２基地局６１０−２が周波数帯域＃２の共通リソース＃１を使ってダウンリンクバースト（ｂｕｒｓｔ）転送を遂行し、端末６２０が周波数帯域＃２の共通リソース＃２を使ってアップリンクバースト転送を遂行する場合、共通リソース＃１と共通リソース＃２間のマッピング関係は、時間−周波数リソースの相対的な差だけでなく共通リソース＃１を構成するダウンリンクリソースと共通リソース＃２を構成するアップリンクリソースの対応関係によって指示され得る。周波数帯域＃１で共通リソース＃１と共通リソース＃２間のマッピング関係が周波数帯域＃２に適用される場合、端末６２０は第２基地局６１０−２の共通情報の獲得手続きまたは第２基地局６１０−２の別途の物理チャネルの獲得手続きを省略することができる。
【０１０１】
一方、第１基地局６１０−１の周波数帯域＃１でビームフォーミング方式に基づいてダウンリンクバースト転送が遂行される場合、ダウンリンクビームはアナログ部分を含むことができ、第１基地局６１０−１の周波数帯域＃１でビームフォーミング方式に基づいてアップリンクバースト転送が遂行される場合、アップリンクビームはアナログ部分を含むことができる。ダウンリンクビームのアナログ部分とアップリンクビームのアナログ部分は、第１基地局６１０−１の仮想セクターを構成する要素であり得る。
【０１０２】
前述した実施例のように、図８の周波数帯域＃２で共通情報を獲得した端末６２０は、獲得した共通情報を使って図８の周波数帯域＃１で第１基地局６１０−１と通信（例えば、ランダムアクセス手続き、スケジューリング要求手続き、ダウンリンク伝送要求手続きなど）を遂行することができる。ここで、端末６２０と第１基地局６１０−１間の接続確立手続きが完了していない場合にも、端末６２０は第１基地局６１０−１と通信を遂行することができる。
【０１０３】
前述した実施例によると、端末が属したセルカバレッジが変更された場合にも、端末はセルカバレッジの変更前に獲得した共通情報を使って現在のセルカバレッジを支援する基地局と通信（例えば、ランダムアクセス手続き、スケジューリング要求手続き、ダウンリンク伝送要求手続きなど）を遂行することができる。すなわち、端末は現在の基地局の共通情報の獲得手続きを遂行することなく以前の基地局から獲得した共通情報を使って現在の基地局と通信を遂行することができる。
【０１０４】
・ビームペアリング手続き（ｂｅａｍ  ｐａｉｒｉｎｇ  ｐｒｏｃｅｄｕｒｅ）
【０１０５】
一方、ミリメートル波（ｍｉｌｉｍｅｔｅｒ  ｗａｖｅ、ｍｍＷａｖｅ）基盤の通信システムにおける基地局と端末間の通信は、ビームフォーミング方式に基づいて遂行され得る。ビームフォーミング方式に基づいた通信のためにビームペアリング手続きが遂行され得る。
【０１０６】
図１０は、通信システムにおけるビームペアリング手続きの第１実施例を図示したフローチャートである。
【０１０７】
図１０を参照すると、通信システムは、第１基地局６１０−１、端末６２０等を含むことができる。図１０の通信システムは、図６の通信システムと同じであり得る。例えば、図１０の第１基地局６１０−１は図６の第１基地局６１０−１であり得、図１０の端末６２０は図６の端末６２０であり得る。第１基地局６１０−１および端末６２０は、図２に図示された通信ノード２００と同一に構成され得る。また、第１基地局６１０−１および端末６２０は複数のアンテナを含むことができる。
【０１０８】
第１基地局６１０−１はビームペアリング手続きのために使われる共通リソースを設定することができる（Ｓ１００１）。共通リソースは、ダウンリンクビームの伝送のために使われるリソース（以下、「ダウンリンクビームリソース」という）およびアップリンクビームの伝送のために使われるリソース（以下、「アップリンクビームリソース」という）を含むことができる。第１基地局６１０−１は図７の共通リソース＃１をダウンリンクビームリソースとして設定することができ、図７の共通リソース＃２をアップリンクビームリソースとして設定することができる。ここで、ダウンリンクビームリソースは「ダウンリンクバーストリソース」と指称され得、アップリンクビームリソースは「アップリンクバーストリソース」と指称され得る。バーストはＬＴＥ基盤の通信システムにおけるＰＲＢ（ｐｈｙｓｉｃａｌ  ｒｅｓｏｕｒｃｅ  ｂｌｏｃｋ）に対応することができ、物理階層でデータまたは制御情報の伝送のために占有される時間−周波数リソースを指示することができる。また、バーストはビームフォーミングのために使われるリソース領域を指示することができる。
【０１０９】
第１基地局６１０−１は共通リソースの設定情報を生成することができる。共通リソースの設定情報は、ダウンリンクビームリソースの割当パターン（例えば、割り当てられた周波数リソース、割り当てられた時間リソース、割当周期など）およびアップリンクビームリソースの割当パターン（例えば、割り当てられた周波数リソース、割り当てられた時間リソース、割当周期など）を含むことができる。また、共通リソースの設定情報は、アップリンクビームリソースの割当パターンの代わりにダウンリンクビームリソースとアップリンクビームリソース間のマッピング関係情報を含むことができる。マッピング関係情報は、ダウンリンクビームリソースとアップリンクビームリソース間の周波数オフセット、時間オフセット、割当周期オフセットなどを含むことができる。また、マッピング関係情報は、ダウンリンク（またはアップリンク）ビームリソースの割当情報がアップリンク（またはダウンリンク）ビームリソースの割当情報に対応するかまたはあらかじめ設定されたマッピング規則により対応するように設定され得る。ここで、ビームリソースの割当情報は、周波数軸でサブキャリアインデックス、時間軸の構成単位（例えば、ラジオフレーム、サブフレーム、シンボルなど）のインデックス、ビームフォーミング技法によるビームインデックスなどを含むことができる。例えば、端末６２０がビームペアリングのために受信したダウンリンクビームのリソースに対して送信する時に使用できるアップリンクビームのリソースは、マッピング関係により特定したアップリンクビームのリソースに限定され得る。したがって、第１基地局６１０−１は端末６２０から受信したアップリンクビームのリソースだけを使って、該当ビームペアリングのために端末６２０が受信されたダウンリンクビームのリソース（例えば、第１基地局６１０−１が送信したビームのリソース）に対する情報を認知することができる。
【０１１０】
第１基地局６１０−１はシステム情報の伝送手続きまたは別途の制御情報のシグナリング手続きを通じて、共通リソースの設定情報を端末６２０に知らせることができる（Ｓ１００２）。端末６２０は第１基地局６１０−１から共通リソースの設定情報を獲得することができ、共通リソースの設定情報に基づいてダウンリンクビームリソースおよびアップリンクビームリソースを識別することができる。第１基地局６１０−１はダウンリンクビームリソース（例えば、図７の共通リソース＃１）を通じて、少なくとも一つのダウンリンクビームを伝送することができる（Ｓ１００３）。例えば、第１基地局６１０−１は、図７のラジオフレーム＃０に含まれたサブフレーム＃０の共通リソース＃１を通じてダウンリンクビーム＃０を伝送することができ、図７のラジオフレーム＃０に含まれたサブフレーム＃５の共通リソース＃１を通じてダウンリンクビーム＃１を伝送することができ、図７のラジオフレーム＃１に含まれたサブフレーム＃０の共通リソース＃１を通じてダウンリンクビーム＃２を伝送することができる。ここで、ダウンリンクビームの伝送はダウンリンクバースト転送またはダウンリンクディスカバリー信号伝送を指示することができる。
【０１１１】
端末６２０は、ダウンリンクビームリソースに対するモニタリング動作を遂行することによって第１基地局６１０−１のダウンリンクビームを受信することができ、受信したダウンリンクビームに基づいて第１基地局６１０−１の伝送ビームを決定することができる（Ｓ１００４）。例えば、端末６２０は、ダウンリンクビームのうち最も大きい受信信号強度を有するダウンリンクビームを第１基地局６１０−１の伝送ビームとして決定することができる。第１基地局６１０−１の伝送ビームが決定された場合、端末６２０は応答メッセージを第１基地局６１０−１に伝送することができる（Ｓ１００５）。応答メッセージは段階Ｓ１００４で決定された第１基地局６１０−１の伝送ビームのインデックスを含むことができる。また、応答メッセージは、スケジューリング要求のためのメッセージ、ランダムアクセスプリアンブル（ｐｒｅａｍｂｌｅ）を含むメッセージなどであり得る。第１基地局６１０−１の伝送ビーム（例えば、ダウンリンクビームのリソース）と端末６２０の伝送ビーム（例えば、アップリンクビームのリソース）間にマッピング関係が設定された場合、段階Ｓ１００４の応答メッセージは第１基地局６１０−１の伝送ビームのインデックスを含まなくてもよい。この場合、第１基地局６１０−１の伝送ビームのインデックスの代わりにマッピング関係により選択されたランダムアクセスプリアンブルまたはアップリンクビームのリソース情報が応答メッセージを通じて伝送され得る。
【０１１２】
第１基地局６１０−１は端末６２０から応答メッセージを受信することができ、応答メッセージに基づいて第１基地局６１０−１の伝送ビームを識別することができる。応答メッセージの送受信手続きが完了した場合、第１基地局６１０−１の伝送ビームの決定手続きが終了され得る。
【０１１３】
一方、端末６２０の伝送ビームの決定手続きが遂行され得る。端末６２０の伝送ビームの決定手続きは、第１基地局６１０−１の伝送ビームの決定手続きの終了後に遂行され得る。または端末６２０の伝送ビームの決定手続きは第１基地局６１０−１の伝送ビームの決定手続きにかかわらず遂行され得る。
【０１１４】
端末６２０はアップリンクビームリソース（例えば、図７の共通リソース＃２）を通じて少なくとも一つのアップリンクビームを伝送することができる（Ｓ１００６）。例えば、端末６２０は図７のラジオフレーム＃０の共通リソース＃２を通じてアップリンクビーム＃０を伝送することができ、図７のラジオフレーム＃２の共通リソース＃２を通じてアップリンクビーム＃１を伝送することができ、図７のラジオフレーム＃４の共通リソース＃２を通じてアップリンクビーム＃２を伝送することができる。ここで、アップリンクビームの伝送はアップリンクバースト転送またはアップリンクディスカバリー信号伝送を指示することができる。
【０１１５】
端末６２０と第１基地局６１０−１間の初期接続手続きが遂行される場合、端末６２０はアップリンクビームリソースを通じてランダムアクセスプリアンブルを含むメッセージを伝送することができる。この場合、端末６２０は一つのプリアンブルシークエンスをｎ回繰り返し伝送することによって、アップリンクバースト転送を遂行することができる。または端末６２０はｎ個のプリアンブルシークエンスを一回ずつ伝送することによって、アップリンクバースト転送を遂行することができる。ｎ個のプリアンブルシークエンスは、端末６２０の識別子（例えば、ＵＥ  ＩＤ）、ダウンリンクビームリソースのインデックス（例えば、スロットインデックス、ミニスロットインデックス、シンボルインデックスなど）、またはアップリンクビームリソースのインデックス（例えば、スロットインデックス、ミニスロットインデックス、シンボルインデックスなど）の関数に基づいて計算され得る。ここで、ｎは２以上の整数であり得る。端末６２０と第１基地局６１０−１間の接続確立手続きが完了した場合、端末６２０はアップリンクビームリソースを通じてＳＲＳ（ｓｏｕｎｄｉｎｇ  ｒｅｆｅｒｅｎｃｅ  ｓｉｇｎａｌ）を伝送することができる。
【０１１６】
第１基地局６１０−１は、アップリンクビームリソースに対するモニタリング動作を遂行することによって端末６２０のアップリンクビームを受信することができ、受信したアップリンクビームに基づいて端末６２０の伝送ビームを決定することができる（Ｓ１００７）。例えば、第１基地局６１０−１は、アップリンクビームのうち、最も大きい受信信号強度を有するアップリンクビームを端末６２０の伝送ビームとして決定することができる。端末６２０の伝送ビームが決定された場合、第１基地局６１０−１は段階Ｓ１００７で決定された端末６２０の伝送ビームのインデックスを端末６２０に知らせることができる。ただし、前述した第１基地局６１０−１の伝送ビーム（例えば、ダウンリンクビームリソース）と端末６２０の伝送ビーム（例えば、アップリンクビームリソース）間に、マッピング関係によって端末６２０の伝送ビームが決定される場合、第１基地局６１０−１が端末６２０の伝送ビームのインデックスを知らせる手続きは省略され得る。第１基地局６１０−１の伝送ビームと端末６２０の伝送ビームが決定された場合、第１基地局６１０−１および端末６２０のそれぞれは、伝送ビームを使って通信を遂行することができる。
【０１１７】
・端末の状態によるランダムアクセス手続き
【０１１８】
一方、ランダムアクセス手続きは、初期接続（ｉｎｉｔｉａｌ  ａｃｃｅｓｓ）のためのランダムアクセス手続き（以下、「初期ランダムアクセス手続き」という）と非初期接続（ｎｏｎ−ｉｎｉｔｉａｌ  ａｃｃｅｓｓ）のためのランダムアクセス手続き（以下、「非初期ランダムアクセス手続き」という）に分類され得る。初期ランダムアクセス手続きは、コンテクスト（ｃｏｎｔｅｘｔ）情報がない状態で遂行され得る。コンテクスト情報は、ＲＲＣコンテクスト情報、ＡＳ（ａｃｃｅｓｓ  ｓｔｒａｔｕｍ）設定情報などであり得る。コンテクスト情報は、端末に対するＲＲＣ設定情報、暗号化（ｓｅｃｕｒｉｔｙ）設定情報、ＰＤＣＰ（ｐａｃｋｅｔ  ｄａｔａ  ｃｏｎｖｅｒｇｅｎｃｅ  ｐｒｏｔｏｃｏｌ）情報（例えば、ＲＯＨＣ（ｒｏｂｕｓｔ  ｈｅａｄｅｒ  ｃｏｍｐｒｅｓｓｉｏｎ）モードによるＰＤＣＰ情報）、端末の識別子（例えば、Ｃ−ＲＮＴＩ（ｃｅｌｌ−ｒａｄｉｏ  ｎｅｔｗｏｒｋ  ｔｅｍｐｏｒａｒｙ  ｉｄｅｎｔｉｆｉｅｒ））、基地局の識別子などを含むことができる。
【０１１９】
非初期ランダムアクセス手続きは、送信データ（または受信データ）の到来（ａｒｒｉｖａｌ）による通信手続き、接続再開始（ｒｅｓｕｍｅ）手続き、リソース割当要求手続き、端末基盤の伝送要求手続き、無線リンクエラー（ｒａｄｉｏ  ｌｉｎｋ  ｆａｉｌｕｒｅ）以降のリンク再設定要求手続き、移動性支援手続き（例えば、ハンドオーバー（ｈａｎｄｏｖｅｒ）手続き）、セカンダリセル（ｓｅｃｏｎｄａｒｙ  ｃｅｌｌ）の追加／変更手続き、アクティブビーム（ａｃｔｉｖｅ  ｂｅａｍ）の追加／変更手続き、同期獲得のための接続要求手続きなどのために遂行され得る。
【０１２０】
初期ランダムアクセス手続きまたは非初期ランダムアクセス手続きは、端末の動作状態により遂行され得る。端末の動作状態は次の通りであり得る。
【０１２１】
図１１は、通信システムにおける端末の動作状態を図示した概念図である。
【０１２２】
図１１を参照すると、端末はＲＲＣ＿アイドル（ｉｄｌｅ）状態、ＲＲＣ＿コネクテッド状態またはＲＲＣ＿インアクティブ（ｉｎａｃｔｉｖｅ）状態で動作することができる。ＲＡＮ＿コネクテッド（ｒａｄｉｏ  ａｃｃｅｓｓ  ｎｅｔｗｏｒｋ＿ｃｏｎｎｅｃｔｅｄ）状態は、ＲＲＣ＿コネクテッド状態およびＲＲＣ＿インアクティブ状態を含むことができる。ＲＡＮ＿コネクテッド状態で基地局と端末は、コンテクスト情報、または接続設定情報などを保存／管理することができる。すなわち、ＲＡＮ＿コネクテッド状態は、ネットワークと端末間にコンテクスト情報または接続設定情報などを保存／管理する点でコネクテッド状態であり、ＲＲＣ接続観点のコネクテッド状態と区別され得る。例えば、ＲＲＣ接続観点のコネクテッド状態は、データ無線ベアラー（ｄａｔａ  ｒａｄｉｏ  ｂｅａｒｅｒ）が設定／維持されることを意味し得る。ＲＲＣ＿コネクテッド状態で動作する端末のために、接続設定維持およびデータの送受信手続きのために使われる制御チャネル、参照信号などが設定され得る。参照信号はデータの復調のために使われるＤＭＲＳ（ｄｅｍｏｄｕｌａｔｉｏｎ  ｒｅｆｅｒｅｎｃｅ  ｓｉｇｎａｌ）、チャネル品質を測定するために使われるＳＲＳ、ビームフォーミングのために使われる参照信号などであり得る。したがって、ＲＲＣ＿コネクテッド状態で動作する端末は別途の遅延なくデータの送受信手続きを遂行することができる。
【０１２３】
ＲＲＣ＿インアクティブ状態で動作する端末のためのコンテクスト情報、接続設定情報などは、基地局と該当端末で保存／管理され得る。ただし、ＲＲＣ＿インアクティブ状態で端末は、ＲＲＣ＿アイドル状態と類似するように動作することができる。したがって、データ無線ベアラーが解除されたり、データ無線ベアラーの設定が中止されたため、ＲＲＣ＿インアクティブ状態で動作する端末はデータの送受信手続きを遂行するために非初期ランダムアクセス手続きを遂行することができる。非初期ランダムアクセス手続きが完了した場合、端末の動作状態はＲＲＣ＿インアクティブ状態からＲＲＣ＿コネクテッド状態に遷移され得、ＲＲＣ＿コネクテッド状態で動作する端末は設定されたデータ無線ベアラーを使ってデータの送受信手続きを遂行することができる。またはＲＲＣ＿インアクティブ状態の端末は、制限された大きさのデータ、制限されたサービス品質によるデータ、制限されたサービスによるデータなどを伝送することができる。
【０１２４】
ＲＲＣ＿アイドル状態で、基地局と端末間の接続が設定されないこともあり、端末のコンテクスト情報、接続設定情報などは基地局と該当端末に保存されないこともある。したがって、ＲＲＣ＿アイドル状態で動作する端末は初期ランダムアクセス手続きを遂行することができる。この場合、端末の動作状態はＲＲＣ＿アイドル状態からＲＲＣ＿コネクテッド状態に遷移され得る。
【０１２５】
または基地局の制御により端末の動作状態は、ＲＲＣ＿アイドル状態からＲＲＣ＿インアクティブ状態に遷移され得、ＲＲＣ＿インアクティブ状態で動作する端末のために制限されたサービスが提供され得る。ここで、別途に規定されたランダムアクセス手続きによって端末の動作状態がＲＲＣ＿アイドル状態からＲＲＣ＿インアクティブ状態に遷移され得る。ＲＲＣ＿アイドル状態からＲＲＣ＿インアクティブ状態への遷移動作の遂行の有無は、端末の種類（ｔｙｐｅ）、端末のケイパビリティ（ｃａｐａｂｉｌｉｔｙ）、サービスの種類などにより決定され得る。基地局（または通信システムの制御個体）は、ＲＲＣ＿アイドル状態からＲＲＣ＿インアクティブ状態への遷移条件を設定することができ、遷移条件によりＲＲＣ＿アイドル状態からＲＲＣ＿インアクティブ状態への遷移動作を制御することができる。例えば、基地局（または通信システムの制御個体）がＲＲＣ＿アイドル状態からＲＲＣ＿インアクティブ状態への遷移動作を許容した場合、端末の動作状態はＲＲＣ＿アイドル状態からＲＲＣ＿インアクティブ状態に遷移され得る。
【０１２６】
一方、前述したランダムアクセス手続きのためのリソースは、セル−特定（ｃｅｌｌ−ｓｐｅｃｉｆｉｃ）リソースであり得る。ランダムアクセス手続きのための共通リソースが複数のセル（例えば、複数の基地局）で設定される場合、共通リソースを識別するために特定エリアを区別するための識別子または仮想セル識別子が使用され得る。例えば、初期ランダムアクセス手続きのための共通リソースは、仮想セル識別子によって識別され得る。仮想セル識別子がダウンリンク識別子とアップリンク識別子を含む場合、共通リソースのうち、ダウンリンクリソースはダウンリンク識別子によって識別され得、共通リソースのうち、アップリンクリソースはアップリンク識別子によって識別され得る。
【０１２７】
通信システムでＦＤＤ（ｆｒｅｑｕｅｎｃｙ  ｄｉｖｉｓｉｏｎ  ｄｕｐｌｅｘ）方式が使われる場合、ダウンリンクリソースとアップリンクリソースが常に存在し得る。その反面、通信システムでＴＤＤ（ｔｉｍｅ  ｄｉｖｉｓｉｏｎ  ｄｕｐｌｅｘ）方式が使われる場合、ダウンリンクリソースおよびアップリンクリソースは基地局ごとに独立的に存在し得る。ＴＤＤ基盤の通信システムで、複数の基地局が同じＵＬ−ＤＬ（ｕｐｌｉｎｋ−ｄｏｗｎｌｉｎｋ）設定（ｃｏｎｆｉｇｕｒａｔｉｏｎ）を使う場合、複数の基地局のための共通リソースは設定され得る。端末は基地局集合（例えば、共通リソースを共有する基地局集合）に属した任意の基地局から共通リソースの設定情報を獲得することができる。したがって、時間軸で共通リソースの位置は基地局集合に属したすべての基地局が共通して有するリソース（例えば、ダウンリンクリソース、アップリンクリソース）内に属するように設定され得る。
【０１２８】
例えば、共通リソースがダウンリンク伝送のために使われる場合、基地局集合に属したすべての基地局でダウンリンクリソース（例えば、ダウンリンクサブフレーム）で設定されたリソースが共通リソースとして設定され得る。共通リソースがアップリンク伝送またはサイドリンク伝送のために使われる場合、基地局集合に属したすべての基地局でアップリンクリソース（例えば、アップリンクサブフレーム）で設定されたリソースが共通リソースとして設定され得る。
【０１２９】
一方、ＮＲ（ｎｅｗ  ｒａｄｉｏ）通信システムでＦＤＤ方式が使われる場合、ダウンリンクリソースとアップリンクリソースが常に存在し得る。その反面、ＮＲ通信システムでＴＤＤ方式が使われる場合、ダウンリンクリソースおよびアップリンクリソースは基地局ごとに独立的に存在し得る。例えば、ＮＲ通信システムで動的（ｄｙｎａｍｉｃ）ＴＤＤ方式が使われる場合、一つの基地局でダウンリンクサブフレーム（またはダウンリンクスロット）およびアップリンクサブフレーム（またはアップリンクスロット）のそれぞれの位置は、他の基地局でダウンリンクサブフレーム（またはダウンリンクスロット）およびアップリンクサブフレーム（またはアップリンクスロット）の位置と異なり得る。
【０１３０】
共通リソースを共有する複数の基地局のうち、一部の基地局は動的ＴＤＤ方式に基づいて動作することができ、残りの基地局は準静的（ｓｅｍｉ−ｓｔａｔｉｃ）ＴＤＤ方式に基づいて動作することができる。または共通リソースを共有するすべての基地局は動的ＴＤＤ方式に基づいて動作することができる。ＮＲ通信システムで動的ＴＤＤ方式が使われる場合、時間軸で特定領域に位置したリソースの種類はダウンリンクリソースまたはアップリンクリソースとして固定され得、ダウンリンクリソースまたはアップリンクリソースとして固定されたリソースは共通リソースとして設定され得る。固定されたリソースのパターンは周期およびオフセットに基づいて指示され得る。基地局は固定されたリソースのパターンを指示する周期およびオフセットをシステム情報の伝送手続きまたは別途の制御情報のシグナリング手続きを通じて端末に知らせることができ、端末は基地局から獲得した周期およびオフセットに基づいて固定されたリソースのパターンを識別することができる。
【０１３１】
例えば、固定されたリソースはＲＲＭ測定リソース、ランダムアクセス手続きのためのリソース（例えば、ＰＲＡＣＨ（ｐｈｙｓｉｃａｌ  ｒａｎｄｏｍ  ａｃｃｅｓｓ  ｃｈａｎｎｅｌ））等であり得る。基地局はＲＲＭ測定のためにダウンリンクリソース（例えば、サブフレーム、スロット、ミニスロット）をあらかじめ設定された周期（例えば、４０ｍｓ）により設定することができ、設定されたダウンリンクリソースを使ってＲＲＭ  ＲＳ（ｒｅｆｅｒｅｎｃｅ  ｓｉｇｎａｌ）を伝送することができる。また、基地局はランダムアクセス手続きのためのアップリンクリソース（例えば、サブフレーム、スロット、ミニスロット）をあらかじめ設定された周期（例えば、２ｍｓ）により設定することができる。
【０１３２】
・ダウンリンク伝送要求手続き
【０１３３】
次いで、図７〜図９を参照して説明された実施例に基づいたダウンリンク伝送要求手続きを説明する。ダウンリンク伝送要求手続きで、端末は必要な情報の伝送を要求するメッセージを基地局に伝送することができ、基地局から必要な情報を獲得することができる。ここで、必要な情報はファームウェア（ｆｉｒｍｗａｒｅ）（例えば、端末のためのソフトウェアアップデート情報）、端末の動作（例えば、サービス）のために要求される情報などであり得る。また、必要な情報はブロードキャスティング（ｂｒｏａｄｃａｓｔ）方式で伝送される共通情報（例えば、システム情報）だけでなくシグナリング情報（例えば、専用制御メッセージ（ｄｅｄｉｃａｔｅｄ  ｃｏｎｔｒｏｌ  ｍｅｓｓａｇｅ））を含むことができる。必要な情報は下記の表１の通りであり得る。
【０１３４】
【表１】
2019530272.tif 000003
【０１３５】
図１２は、通信システムにおけるダウンリンク伝送要求手続きの第１実施例を図示したフローチャートである。
【０１３６】
図１２を参照すると、通信システムは第１基地局６１０−１、端末６２０等を含むことができる。図１２の通信システムは図６の通信システムと同じであり得る。例えば、図１２の第１基地局６１０−１は図６の第１基地局６１０−１であり得、図１２の端末６２０は図６の端末６２０であり得る。第１基地局６１０−１および端末６２０は図２に図示された通信ノード２００と同一に構成され得る。
【０１３７】
第１基地局６１０−１は共通リソースを通じて共通情報を伝送することができる（Ｓ１２０１）。段階Ｓ１２０１は図９の段階Ｓ９０４と同じであり得る。共通情報はシステム情報、制御情報、物理チャネル設定／割当情報、参照信号設定／割当情報、リソース割当情報、共通情報が適用されるサービス領域を指示するＳＡ識別子、共通情報が有効に使われる時間を指示する区間指示子などを含むことができる。リソース割当情報は制御チャネルのためのリソース割当情報、ランダムアクセス手続きのためのリソース割当情報、スケジューリング要求手続き（例えば、リソース要求手続き）のためのリソース割当情報、ダウンリンク伝送要求のためのリソース割当情報（例えば、ダウンリンク伝送要求手続きのためのリソース割当情報）、Ｄ２Ｄ通信のためのリソース割当情報などを含むことができる。
【０１３８】
端末６２０は第１基地局６１０−１から共通情報を受信することができ、共通情報に含まれたダウンリンク伝送要求手続きのためのリソース割当情報を識別することができる。ダウンリンク伝送要求手続きのためのリソース割当情報は、周波数リソースを指示するパラメーター、時間リソースを指示するパラメーター、リソースホッピングパターン、ビームフォーミング関連情報、コードシークエンス（例えば、ビットシークエンス、信号シークエンス）等を含むことができる。
【０１３９】
リソース割当情報は表１に記載された情報要素別に互いに異なるリソースを指示することができる。例えば、表１の情報要素＃１はリソース割当情報によって指示されるコードシークエンス＃１にマッピングされ得、表１の情報要素＃２はリソース割当情報によって指示されるコードシークエンス＃２にマッピングされ得る。したがって、情報要素＃１が必要な場合、端末６２０はコードシークエンス＃１を含む要求メッセージを第１基地局６１０−１に伝送することができ、第１基地局６１０−１は端末６２０からコードシークエンス＃１が受信された場合にコードシークエンス＃１に対応する情報要素＃１を含む応答メッセージを端末６２０に伝送することができる。ここで、コードシークエンスはランダムアクセス手続きで使われるプリアンブルシークエンスであり得る。
【０１４０】
また、表１の情報要素＃３はリソース割当情報によって指示される時間−周波数リソース＃１にマッピングされ得、表１の情報要素＃４はリソース割当情報によって指示される時間−周波数リソース＃２にマッピングされ得る。したがって、情報要素＃３が必要な場合、端末６２０は時間−周波数リソース＃１を使って要求メッセージを第１基地局６１０−１に伝送することができ、第１基地局６１０−１は要求メッセージが時間−周波数リソース＃１を通じて受信した場合に時間および周波数リソース＃１に対応する情報要素＃３を含む応答メッセージを端末６２０に伝送することができる。ここで、時間−周波数リソースはランダムアクセス手続きで使われるリソースであり得る。表１の情報要素とリソース割当情報によって指示されるリソース間のマッピング関係は、共通情報の伝送手続き、システム情報の伝送手続き、制御情報のシグナリング手続き等を通して第１基地局６１０−１で端末６２０に伝送され得る。
【０１４１】
一方、端末６２０は、共通情報に含まれたリソース割当情報に基づいて必要な情報（例えば、表１に記載された情報要素）にマッピングされるリソースを識別することができ、識別されたリソースを使って要求メッセージを第１基地局６１０−１に伝送することができる（Ｓ１２０１）。要求メッセージは図７または図８に図示された共通リソースを通じて伝送され得る。例えば、情報要素＃２が必要な場合に端末６２０はコードシークエンス＃２を含む要求メッセージを第１基地局６１０−１に伝送することができ、情報要素＃４が必要な場合に端末６２０は時間−周波数リソース＃２を使って要求メッセージを第１基地局６１０−１に伝送することができる。ここで、要求メッセージはランダムアクセス手続きで使われるメッセージ（例えば、ランダムアクセスプリアンブル）であり得る。
【０１４２】
または要求メッセージは物理階層制御チャネルまたはＭＡＣ階層以上の制御チャネルで構成され得る。この場合、要求メッセージに含まれた特定フィールドの値と表１に記載された情報要素がマッピングされ得る。例えば、「１００」で設定された特定フィールドは表１の情報要素＃５の伝送を要求することができ、「１０１」で設定された特定フィールドは表１の情報要素＃６の伝送を要求することができる。表１に記載された情報要素と特定フィールドの値間のマッピング関係は、共通情報の伝送手続き、システム情報の伝送手続き、制御情報のシグナリング手続き等を通して第１基地局６１０−１で端末６２０に伝送され得る。
【０１４３】
第１基地局６１０−１は端末６２０から要求メッセージを受信することができ、要求メッセージに基づいて端末６２０に伝送される情報を識別することができる。例えば、要求メッセージがコードシークエンス＃２を含む場合、第１基地局６１０−１はコードシークエンス＃２に対応する表１の情報要素＃２の伝送が要求されると判断することができる。要求メッセージが時間−周波数リソース＃２を通じて受信した場合、第１基地局６１０−１は時間−周波数リソース＃２に対応する表１の情報要素＃４の伝送が要求されると判断することができる。要求メッセージの特定フィールドが「１００」で設定された場合、第１基地局６１０−１は「１００」で設定された特定フィールドに対応する表１の情報要素＃５の伝送が要求されると判断することができる。
【０１４４】
第１基地局６１０−１は伝送が要求される情報要素を含む応答メッセージを生成することができ、応答メッセージを端末６２０に伝送することができる（Ｓ１２０３）。応答メッセージは図７または図８に図示された共通リソースまたは各基地局  （例えば、第１基地局６１０−１）のダウンリンク無線リソースを通じて伝送され得る。端末６２０は第１基地局６１０−１から応答メッセージを受信することができ、応答メッセージに含まれた情報要素を識別することができる。
【０１４５】
・ランダムアクセス手続き
【０１４６】
次いで、図７〜図９および図１２を参照して説明された実施例に基づいたランダムアクセス手続きを説明する。
【０１４７】
図１３は、通信システムにおけるランダムアクセス手続きの第１実施例を図示したフローチャートである。
【０１４８】
図１３を参照すると、通信システムは、第１基地局６１０−１、第２基地局６１０−２、端末６２０等を含むことができる。図１３の通信システムは図６の通信システムと同じであり得る。例えば、図１３の第１基地局６１０−１は図６の第１基地局６１０−１であり得、図１３の第２基地局６１０−２は図６の第２基地局６１０−２であり得、図１３の端末６２０は図６の端末６２０であり得る。第１基地局６１０−１、第２基地局６１０−２および端末６２０は図２に図示された通信ノード２００と同一に構成され得る。
【０１４９】
第１基地局６１０−１は、共通リソースを通じて共通情報を伝送することができる（Ｓ１３０１）。段階Ｓ１３０１は図９の段階Ｓ９０４と同じであり得る。共通情報は複数の基地局（例えば、第１基地局６１０−１、第２基地局６１０−２）で同一に設定され得る。共通情報は、システム情報、制御情報、物理チャネル設定／割当情報、参照信号設定／割当情報、リソース割当情報、共通情報が適用されるサービス領域を指示するＳＡ識別子、共通情報が有効に使われる時間を指示する区間指示子などを含むことができる。リソース割当情報は制御チャネルのためのリソース割当情報、ランダムアクセス手続きのためのリソース割当情報、スケジューリング要求手続き（例えば、リソース要求手続き）のためのリソース割当情報、ダウンリンク伝送要求手続きのためのリソース割当情報、Ｄ２Ｄ通信のためのリソース割当情報などを含むことができる。リソース割当情報は、周波数リソースを指示するパラメーター（例えば、基準値、オフセット）、時間リソースを指示するパラメーター（例えば、基準値、オフセット）、リソースホッピングパターン、ビームフォーミング関連情報、コードシークエンス（例えば、ビットシークエンス、信号シークエンス）、非活性化された無線リソース領域（または区間）等を含むことができる。
【０１５０】
端末６２０は、第１基地局のセルカバレッジに属し得、端末６２０と第１基地局６１０−１間の接続確立手続きが完了した状態であり得る。端末６２０は第１基地局６１０−１から共通情報を受信することができ、共通情報に含まれたランダムアクセス手続き（またはダウンリンク伝送要求手続き）のためのリソース割当情報を識別することができる。ランダムアクセス手続き（またはダウンリンク伝送要求手続き）のためのリソース割当情報は、周波数リソースを指示するパラメーター、時間リソースを指示するパラメーター、リソースホッピングパターン、ビームフォーミング関連情報、コードシークエンス（例えば、ビットシークエンス、信号シークエンス）等を含むことができる。
【０１５１】
一方、第１基地局６１０−１は、ビームスイーピング（ｂｅａｍ  ｓｗｅｅｐｉｎｇ）方式（例えば、ダウンリンクバースト転送方式）に基づいて共通情報を伝送することができる。この場合、共通情報は第１基地局６１０−１の複数の仮想セクターでＴＤＭ（ｔｉｍｅ  ｄｉｖｉｓｉｏｎ  ｍｕｌｔｉｐｌｅｘ）方式で伝送され得る。例えば、第１基地局６１０−１は仮想セクター別に放送情報（例えば、ダウンリンク制御情報の伝送のためのリソースとランダムアクセス手続きのためのリソース間のマッピング関係）を設定することができ、ビームスイーピング方式に基づいて共通リソースを通じて放送情報を伝送することができる。通信システムにおけるシグナリングオーバーヘッドを考慮すると、第１基地局６１０−１の仮想セクターで同じマッピング関係が設定されることが好ましい。この場合、第１基地局６１０−１はダウンリンクバースト転送方式に基づいて同じ放送情報を繰り返して伝送することができ、端末６２０は第１基地局６１０−１から放送情報を一度だけ受信した場合にも第１基地局６１０−１の放送情報を識別することができる。
【０１５２】
端末６２０が第１基地局６１０−１のセルカバレッジで第２基地局６１０−２のセルカバレッジに移動した場合、端末６２０は第１基地局６１０−１から獲得した共通情報（例えば、放送情報）を使って第２基地局６１０−２と通信（例えば、ランダムアクセス手続き、ダウンリンク伝送要求手続きなど）を遂行することができる。この場合、端末６２０は第２基地局６１０−２から共通情報を獲得する手続きを遂行することなく第２基地局６１０−２と通信を遂行することができる。または端末６２０は第２基地局６１０−２から部分的なシステム情報（例えば、追加のシステム情報、他のシステム情報）を獲得した後に第２基地局６１０−２と通信を遂行することができる。
【０１５３】
端末６２０は、第１基地局６１０−１から獲得した共通情報によって指示されるリソースを使ってランダムアクセスプリアンブル（またはダウンリンク伝送要求手続きが遂行される場合に図１２の段階Ｓ１２０２で要求メッセージ）を第２基地局６１０−２に伝送することができる（Ｓ１３０２）。第２基地局６１０−２は端末６２０からランダムアクセスプリアンブル（または図１２の段階Ｓ１２０２で要求メッセージ）を受信することができ、ランダムアクセスプリアンブルに対する応答メッセージ（または図１２の段階Ｓ１２０３で応答メッセージ（すなわち、端末６２０により要求される情報（例えば、表１の情報要素）を含む応答メッセージ））を端末６２０に伝送することができる（Ｓ１３０３）。端末６２０は第２基地局６１０−２からランダムアクセスプリアンブルに対する応答メッセージ（または図１２の段階Ｓ１２０３で応答メッセージ）を受信することができる。
【０１５４】
段階Ｓ１３０３で受信した応答メッセージは、段階Ｓ１３０５のシグナリングメッセージのためのスケジューリング情報を含むことができる。スケジューリング情報は、段階Ｓ１３０５のシグナリングメッセージを伝送する基地局（例えば、第２基地局６１０−２）の識別子、ビームインデックス、スケジューリング情報を識別するための指示子、リソース割当情報、ＭＣＳ（ｍｏｄｕｌａｔｉｏｎ  ａｎｄ  ｃｏｄｉｎｇ  ｓｃｈｅｍｅ）情報、フィードバックメッセージ（例えば、ＡＣＫ（ａｃｋｎｏｗｌｅｄｇｅｍｅｎｔ）メッセージ、ＮＡＣＫ（ｎｅｇａｔｉｖｅ  ＡＣＫ）メッセージ）の伝送のためのリソース割当情報などを含むことができる。リソース割当情報は周波数リソースを指示するパラメーター、時間リソースを指示するパラメーター、送受信時間関連情報（例えば、周期、区間、ウインドウ）等を含むことができる。
【０１５５】
一方、複数の基地局は端末６２０のランダムアクセスプリアンブルを受信することができ、この場合に複数の基地局のそれぞれは、ランダムアクセス応答を端末６２０に伝送することができる。ここで、ランダムアクセス応答は基地局の識別子（例えば、セル識別子）を含むことができる。複数の基地局からランダムアクセス応答が受信された場合、端末６２０は複数の基地局のうち、あらかじめ設定された条件を満足する一つの基地局を選択することができる。ここで、あらかじめ設定された条件は、段階Ｓ１３０３のランダムアクセス応答に含まれ得る。または端末６２０は複数の基地局のうち、任意に一つの基地局を選択することができる。端末６２０は選択された基地局と段階Ｓ１３０４および段階Ｓ１３０５を遂行することができる。
【０１５６】
ダウンリンク伝送要求手続きが遂行される場合、段階Ｓ１３０３の応答メッセージは、必須システム情報（例えば、ＭＩＢ（ｍａｓｔｅｒ  ｉｎｆｏｒｍａｔｉｏｎ  ｂｌｏｃｋ））、システム情報（例えば、ＳＩＢ１（ｓｙｓｔｅｍ  ｉｎｆｏｒｍａｔｉｏｎ  ｂｌｏｃｋ  １））のスケジューリング情報、該当基地局の物理階層チャネルの設定情報（例えば、ＳＩＢ２）、特定機能（例えば、ＭＢＭＳ、Ｄ２Ｄ通信、ＭＴＣ（ｍａｃｈｉｎｅ  ｔｙｐｅ  ｃｏｍｍｕｎｉｃａｔｉｏｎ）、ＩｏＴ、車両通信（例えば、Ｖ２Ｘ（ｖｅｈｉｃｌｅ  ｔｏ  ｅｖｅｒｙｔｈｉｎｇ））、災難／災害および社会安全網のための警報、位置情報および共通時間の伝送、他のＲＡＴシステムとの連動など）のためのシステム情報、アップデートされたシステム情報などを含むことができる。
【０１５７】
第２基地局６１０−２から応答メッセージが受信された場合、端末６２０は端末６２０の情報を含むシグナリングメッセージを第２基地局６１０−２に伝送することができる（Ｓ１３０４）。端末６２０の情報は、識別子、ケイパビリティ、属性、移動状態、位置などを含むことができる。また、段階Ｓ１３０４のシグナリングメッセージは必要な情報を要求するために使用され得る。すなわち、段階Ｓ１３０４のシグナリングメッセージは、図１２の段階Ｓ１２０２の要求メッセージと同一に設定され得る。また、段階Ｓ１３０２だけで端末６２０により要求された情報要素（例えば、表１の情報要素）が識別されない場合、段階Ｓ１３０４のシグナリングメッセージは伝送され得る。すなわち、段階Ｓ１３０２だけで端末６２０により要求された必要な情報要素が認知された場合、段階Ｓ１３０４は省略され得る。段階Ｓ１３０４が遂行された場合、必要な情報を要求するシグナリングメッセージを受信した第２基地局６１０−２は、端末６２０により要求される情報（例えば、表１の情報要素）を含むシグナリングメッセージを生成することができ、シグナリングメッセージを端末６２０に伝送することができる（Ｓ１３０５）。端末６２０は第２基地局６１０−２からシグナリングメッセージを受信することができ、シグナリングメッセージに含まれた情報を識別することができる。ここで、段階Ｓ１３０５は選択的に遂行され得る。すなわち、必要な情報が存在しない場合に端末６２０は段階Ｓ１３０５を遂行しないことがある。
【０１５８】
一方、端末６２０は第２基地局６１０−２の代わりに第３基地局（例えば、図６に図示された第３基地局６１０−３）と段階Ｓ１３０４および段階Ｓ１３０５を遂行することができる。ここで、第３基地局６１０−３により支援されるＲＡＴ（例えば、システム帯域幅、伝送キャリア、プロトコル階層の設定）は、第１基地局６１０−１または第２基地局６１０−２により支援されるＲＡＴ（例えば、システム帯域幅、伝送キャリア、プロトコル階層の設定）と異なり得る。段階Ｓ１３０１の共通情報は基地局６１０−１、６１０−２、６１０−３で共有され得、共通情報は端末６２０と基地局６１０−１、６１０−２、６１０−３間のランダムアクセス手続き、必要な情報の要求手続き（例えば、ダウンリンク伝送要求手続き）などのために使用され得る。
【０１５９】
例えば、段階Ｓ１３０４で端末６２０は必要な情報を要求するシグナリングメッセージを第３基地局６１０−３に伝送することができ、第３基地局６１０−３は端末６２０からシグナリングメッセージを受信することができる。段階Ｓ１３０５で第３基地局６１０−３は端末６２０により要求される情報（例えば、表１の情報要素）を含むシグナリングメッセージを生成することができ、シグナリングメッセージを端末６２０に伝送することができる。したがって、端末６２０は第３基地局６１０−３からシグナリングメッセージを受信することができ、シグナリングメッセージに含まれた情報を識別することができる。
【０１６０】
一方、端末６２０と基地局６１０−１、６１０−２、６１０−３間の送受信手続きで基地局６１０−１、６１０−２、６１０−３の物理階層同期が考慮され得る。第１基地局６１０−１と第２基地局６１０−２がＴＤＤ方式で動作する場合、第１基地局６１０−１は第２基地局６１０−２に同期されたものと仮定され得る。しかし、第１基地局６１０−１と第２基地局６１０−２がＦＤＤ方式で動作する場合、第１基地局６１０−１は第２基地局６１０−２に同期されていないものと仮定され得る。したがって、第１基地局６１０−１と第２基地局６１０−２間に共通リソースが設定された場合にも、時間軸で第１基地局６１０−１の共通リソースの位置は時間軸で第２基地局６１０−２の共通リソースの位置と異なり得る。
【０１６１】
例えば、共通リソースを使ってランダムアクセス手続きが遂行される場合、端末６２０がランダムアクセスプリアンブルを第１基地局６１０−１に伝送する時点は、端末６２０がランダムアクセスプリアンブルを第２基地局６１０−２に伝送する時点と異なり得る。すなわち、第１基地局６１０−１のためのランダムアクセス手続きは、第１基地局６１０−１のアップリンクサブフレーム境界（ｂｏｕｎｄａｒｙ）により遂行され、第２基地局６１０−２のためのランダムアクセス手続きは第２基地局６１０−２のアップリンクサブフレーム境界により遂行されるので、第１基地局６１０−１のためのランダムアクセスプリアンブルの伝送時点は第２基地局６１０−２のためのランダムアクセスプリアンブルの伝送時点と異なり得る。
【０１６２】
したがって、第１基地局６１０−１から共通リソースの設定情報を獲得した端末６２０は、第２基地局６１０−２とランダムアクセス手続きを遂行するために第２基地局６１０−２のアップリンク同期を獲得することができる。第２基地局６１０−２のアップリンク同期が獲得された後、端末６２０は第１基地局６１０−１から獲得した共通リソースの設定情報を使って第２基地局６１０−２のランダムアクセス手続きのためのリソース（例えば、ＰＲＡＣＨ）を推定することができ、推定されたリソースを通じてランダムアクセスプリアンブルを第２基地局６１０−２に伝送することができる。
【０１６３】
一方、端末６２０は共通リソースを使って共通リソースを共有するすべての基地局（例えば、第１基地局６１０−１、第２基地局６１０−２、第３基地局６１０−３）とランダムアクセス手続きを遂行できるため、ランダムアクセス手続きを遂行するターゲット基地局（例えば、第２基地局６１０−２）を決定するためにＲＲＭ測定手続きを遂行しないこともある。ただし、端末６２０はランダムアクセスプリアンブルの送信電力の決定および電力ランピング  （ｒａｍｐｉｎｇ）のために第２基地局６１０−２の参照信号を使うことができる。例えば、端末６２０は第２基地局６１０−２の参照信号に基づいてダウンリンク経路損失を推定することができ、推定された経路損失に基づいてランダムアクセスプリアンブルをための送信電力を決定することができる。
【０１６４】
また、端末６２０はランダムアクセス応答を受信するためにターゲット基地局（例えば、第２基地局６１０−２）の制御情報を受信することができる。第２基地局６１０−２の制御情報を受信するために、端末６２０は第２基地局６１０−２のダウンリンク同期情報だけでなく制御情報の復調のために必要な情報（例えば、システム帯域幅、ＰＨＩＣＨ（ｐｈｙｓｉｃａｌ  ｈｙｂｒｉｄ−ＡＲＱ（ａｕｔｏｍａｔｉｃ  ｒｅｐｅａｔ  ｒｅｑｕｅｓｔ）ｉｎｄｉｃａｔｏｒ  ｃｈａｎｎｅｌ）リソース設定情報、ＳＦＮ、ＣＲＳ（ｃｅｌｌ−ｓｐｅｃｉｆｉｃ  ｒｅｆｅｒｅｎｃｅ  ｓｉｇｎａｌ）ポート設定情報など）をあらかじめ獲得することができる。ＬＴＥ基盤の通信システムで、端末６２０は、ＭＩＢを通じて制御情報の復調のために必要な情報を獲得することができる。ＮＲ通信システムで、端末６２０は、ＭＩＢまたはブロードキャスト方式で伝送されるシステム情報（例えば、最小システム情報、必須システム情報）を通じて制御情報の復調のために必要な情報を獲得することができる。ここで、制御情報の復調のために必要な情報は、他のシステム情報のスケジューリング情報、多重無線フレームの構成情報、設定帯域幅（ｂａｎｄｗｉｄｔｈ）のサブキャリアスペーシング（ｓｕｂｃａｒｒｉｅｒ  ｓｐａｃｉｎｇ）の構成情報、シンボル（ｓｙｍｂｏｌ）構成による周波数（または時間）軸上の物理階層制御チャネル割当（または設定）パラメーターなどを含むことができる。
【０１６５】
ブロードキャスト方式で伝送されるシステム情報は、複数の基地局（例えば、複数のセル）で共通に適用され得る。端末６２０は共通情報に含まれたＳＡ識別子、システム情報の有効性を指示する情報（例えば、共通情報が有効に使われる時間を指示する区間指示子、タグ、システム情報の変更を予告する情報）等に基づいてランダムアクセス手続き（またはセル選択手続き、セル再選択手続き）で使われる共通情報（例えば、すでに獲得した共通情報、新しく獲得される共通情報）を決定することができる。
【０１６６】
・オンデマンド（ｏｎ−ｄｅｍａｎｄ）方式に基づいたシステム情報の伝送手続き
【０１６７】
次いで、オンデマンド方式に基づいたシステム情報の伝送手続きを説明する。オンデマンド方式に基づいたシステム情報の伝送手続きは、ランダムアクセス手続きに基づいて遂行され得る。例えば、端末は追加のシステム情報が必要な場合にランダムアクセス手続きを遂行することができる。追加のシステム情報を要求するために遂行されるランダムアクセス手続きのための識別子および無線リソースは、別途に設定され得る。基地局は追加のシステム情報の伝送を要求するランダムアクセスプリアンブルを端末から受信することができ、端末によって要求される追加のシステム情報を含むランダムアクセス応答を端末に伝送することができる。端末は基地局からランダムアクセス応答を受信することができ、ランダムアクセス応答に含まれた追加のシステム情報を識別することができる。
【０１６８】
一方、システム情報を管理するためにタグ（ｔａｇ）が使用され得る。基地局からシステム情報が受信された場合、端末はシステム情報に含まれたタグを識別することができる。タグが１個の追加のシステム情報が必要なことを指示する場合、端末は１個の追加のシステム情報の伝送を要求する要求メッセージを基地局に伝送することができる。端末から要求メッセージが受信された場合、基地局は１個の追加のシステム情報を端末に伝送することができる。端末は基地局から１個の追加のシステム情報を獲得することができ、１個の追加のシステム情報が獲得された場合にシステム情報の伝送手続きが終了され得る。
【０１６９】
またはタグが２個の追加のシステム情報が必要なことを指示する場合、端末は２個の追加のシステム情報の伝送を要求する要求メッセージを基地局に伝送することができる。要求メッセージは２個の追加のシステム情報のそれぞれの識別子を含むことができる。端末から要求メッセージが受信された場合、基地局は２個の追加のシステム情報（例えば、要求メッセージに含まれた識別子によって指示される２個の追加のシステム情報）を端末に伝送することができる。端末は基地局から２個の追加のシステム情報を獲得することができ、２個の追加のシステム情報が獲得された場合にシステム情報の伝送手続きが終了され得る。
【０１７０】
一方、システム情報が変更（例えば、アップデート）された場合、基地局はシステム情報が変更されたことを端末に知らせることができる。システム情報が変更されたことを指示する情報はビットマップ（ｂｉｔｍａｐ）またはタグ（例えば、ＳＩＢ単位のタグ）で表すことができる。ここで、システム情報が複数のシステム情報ブロック（ＳＩＢ）で構成される場合のそれぞれのＳＩＢ単位でビットマップのビットが設定され得、それぞれのＳＩＢ単位でＳＩＢタグ値が設定され得る。したがって、ビットマップのビットまたはＳＩＢタグ値はマッピングされる該当システム情報ブロック（ＳＩＢ）の有効性の有無に対する情報を表すことができる。例えば、ビットマップ内で０で設定された特定ビットは特定ビットに対応するシステム情報が変更されないことを指示することができ、ビットマップ内で１で設定された特定ビットは特定ビットに対応するシステム情報が変更されたことを指示することができる。したがって、端末は基地局から獲得したビットマップまたはタグに基づいて変更されたシステム情報を識別することができる。また、端末は現在のビットマップ（またはタグ）と以前のビットマップ（またはタグ）を比較することによって変更されたシステム情報を識別することができる。
【０１７１】
システム情報が最小（ｍｉｎｉｍｕｍ）システム情報および他の（ｏｔｈｅｒ）システム情報に分類される場合、基地局は最小システム情報および他のシステム情報のそれぞれの変更の有無を端末に知らせることができる。最小システム情報は必須（ｎｅｃｅｓｓａｒｙ）システム情報、基本（ｂａｓｉｃ）システム情報などと指称され得、他のシステム情報は追加（ａｄｄｉｔｉｏｎａｌ）システム情報などと指称され得る。最小システム情報はＳＩＢを通じて伝送される共通制御情報であり得る。他のシステム情報は全体システム情報のうち、最小システム情報を除いたシステム情報であり得る。
【０１７２】
また、最小システム情報はプライマリ（ｐｒｉｍａｒｙ）最小システム情報およびセカンダリ（ｓｅｃｏｎｄａｒｙ）最小システム情報に分類され得る。最小システム情報は、システム情報が変更されたことを指示するタグおよびビットマップを含むことができる。セカンダリ最小システム情報は、他のシステム情報の伝送に対するスケジューリング情報、多重無線フレーム構成情報、物理階層制御チャネルの構成情報などを含むことができる。ここで、多重無線フレーム構成情報は、該当セル（または基地局）のラジオフレームが一つ以上のフレームフォーマットで構成される場合に、フレームを構成するミニスロット、サブフレームのための設定パラメーター、サブキャリアスペーシングおよびシンボル設定パラメーターなどを含むことができる。また、物理階層制御チャネルの構成情報は、多重フレーム構成またはデータ／制御情報伝送のための帯域幅（ｂａｎｄｗｉｄｔｈ）設定パラメーター、各帯域幅に割り当てられた物理階層制御チャネルのための無線リソース割当パラメーター（例えば、周波数または時間軸で無線リソースエレメント（ｒａｄｉｏ  ｒｅｓｏｕｒｃｅ  ｅｌｅｍｅｎｔ）設定情報、伝送周期、伝送区間、データ／制御情報の伝送シンボル区間など）等を含むことができる。
【０１７３】
プライマリ最小システム情報およびセカンダリ最小システム情報のそれぞれは、互いに異なるチャネルを通じて伝送され得る。例えば、プライマリ最小システム情報はＰＢＣＨ（ｐｈｙｓｉｃａｌ  ｂｒｏａｄｃａｓｔ  ｃｈａｎｎｅｌ）を通じて伝送され得、セカンダリ最小システム情報はＰＤＳＣＨ（ｐｈｙｓｉｃａｌ  ｄｏｗｎｌｉｎｋ  ｓｈａｒｅｄ  ｃｈａｎｎｅｌ）または他のＰＢＣＨを通じて伝送され得る。ここで、プライマリ最小システム情報が伝送されるＰＢＣＨの時間−周波数リソースは、セカンダリ最小システム情報が伝送されるＰＢＣＨの時間−周波数リソースと異なり得る。ＰＤＳＣＨを通じて伝送されるセカンダリ最小システム情報は、ブロードキャスト方式、マルチキャスト（ｍｕｌｔｉｃａｓｔ）方式またはユニキャスト（ｕｎｉｃａｓｔ）方式を使って特定ビームフォーミング単位（例えば、ビームフォーミンググループ単位）で伝送され得る。すなわち、ＰＤＳＣＨを通じて伝送されるセカンダリ最小システム情報は、セル全体でブロードキャスト方式で伝送されないこともある。
【０１７４】
セカンダリ最小システム情報が伝送されるＰＢＣＨまたはＰＤＳＣＨのスケジューリング情報のための識別子（例えば、最小ＳＩ−ＲＮＴＩ（ｓｙｓｔｅｍ  ｉｎｆｏｒｍａｔｉｏｎ−ｒａｄｉｏ  ｎｅｔｗｏｒｋ  ｔｅｍｐｏｒａｒｙ  ｉｄｅｎｔｉｆｉｅｒ））が設定され得る。したがって、端末は最小システム情報（例えば、プライマリ最小システム情報、セカンダリ最小システム情報）を獲得するために、あらかじめ設定された時間−周波数リソースに対するモニタリング動作を遂行することができる。または端末は最小システム情報（例えば、プライマリ最小システム情報、セカンダリ最小システム情報）のスケジューリング情報のための識別子（例えば、最小ＳＩ−ＲＮＴＩ）を探索することができる。
【０１７５】
すなわち、プライマリ最小システム情報がＰＢＣＨに伝送され、セカンダリ最小システム情報がＰＤＳＣＨに伝送される場合、端末は最小ＳＩ−ＲＮＴＩをモニタリングしたり、または通信システムで一定の周期により繰り返し割り当てられた無線リソースを通じてセカンダリ最小システム情報を受信することができる。この場合、セカンダリ最小システム情報が伝送されるＰＤＳＣＨの無線リソースに対するスケジューリング情報は、プライマリ最小システム情報に含まれ得る。前記スケジューリング情報は、セカンダリ最小システム情報を伝送する無線リソースの構成情報、伝送周期、または多重無線フレーム構成によるインデックス（またはインデックスのオフセット）を含むことができる。
【０１７６】
一方、最小システム情報と他のシステム情報のそれぞれが変更されたことを指示する制御情報は、別途のリソースを通じて伝送され得る。例えば、最小システム情報が変更されたことを指示する制御情報が伝送されるチャネル（例えば、チャネルの発生周期）は、他のシステム情報が変更されたことを指示する制御情報が伝送されるチャネル（例えば、チャネルの発生周期）と異なり得る。また、最小システム情報が変更されたことを指示する制御情報の伝送のためのスケジューリング情報（例えば、スケジューリング識別子、スケジューリング情報内の制御フィールド設定情報）およびスクランブリングシークエンスのそれぞれは、他のシステム情報が変更されたことを指示する制御情報の伝送のためのスケジューリング情報（例えば、スケジューリング識別子、スケジューリング情報内の制御フィールド設定情報）およびスクランブリングシークエンスと異なり得る。最小システム情報がプライマリ最小システム情報およびセカンダリ最小システム情報に分類される場合、前述した方式と同様にプライマリ最小システム情報とセカンダリ最小システム情報のそれぞれが変更されたことを指示する制御情報は別途のリソースを通じて伝送され得る。
【０１７７】
システム情報が変更（例えば、アップデート）されたことを指示する情報は、ビームフォーミング単位（例えば、ビームフォーミンググループ単位）で伝送される制御チャネル（例えば、制御メッセージ）を通じてシグナリングされ得る。ここで、制御チャネル（例えば、制御メッセージ）はシステム情報の変更を予告する情報をさらに含むことができる。システム情報が変更されたことを指示する情報は、ビットマップまたはタグで表現され得る。ビットマップはビットシークエンスで構成され得、ビットシークエンスに含まれたビットのそれぞれは、システム情報（例えば、ＳＩＢ）にマッピングされ得る。ビットにマッピングされたシステム情報の変更の有無は該当ビット値によって指示され得る。システム情報の変更を予告する情報はＳＩＢにより設定され得、システム情報の変更周期（または変更時点）を指示することができる。システム情報の変更を予告する情報が変更時点を指示する場合、変更時点はＨＦＮ（ｈｙｐｅｒ  ｆｒａｍｅ  ｎｕｍｂｅｒ）、ＳＦＮ、サブフレームインデックスなどによって表現され得る。または変更時点は絶対的な時間（例えば、ミリ秒、秒、分、時間など）により表現され得る。または変更時点はタイマー（ｔｉｍｅｒ）により表現され得る。タイマーはミニスロット、スロット、サブフレーム、ラジオフレーム、ミリ秒、秒、分、時間などの単位で表現され得る。
【０１７８】
したがって、端末は、システム情報が変更されたことを指示する情報を基地局から受信することによって、システム情報が変更されたことを識別することができる。また、端末はシステム情報の変更を予告する情報を基地局から受信することによって、システム情報が変更されることを識別することができる。この場合、端末は変更されたシステム情報の獲得手続きを遂行することができる。端末はシステム情報の変更前にオンデマンド方式に基づいて新しいシステム情報の伝送を要求するメッセージを基地局に伝送することができ、基地局から新しいシステム情報（すなわち、変更されたシステム情報）を受信することができる。例えば、端末はあらかじめ設定された条件が満足する場合、ＤＲＸ（ｄｉｓｃｏｎｔｉｎｕｏｕｓ  ｒｅｃｅｐｔｉｏｎ）動作の遂行前、ＲＲＣ＿コネクテッド状態からＲＲＣ＿アイドル状態への遷移動作の遂行前、その他必要な場合にシステム情報が変更されたことを識別（またはシステム情報が変更されることを識別）することができる。
【０１７９】
システム情報の変更（またはシステム情報の変更予定）が識別された場合、端末はオンデマンド方式で新しいシステム情報（すなわち、変更されたシステム情報）またはシステム情報の変更前に必要なシステム情報の伝送を基地局に要求することができ、基地局から新しいシステム情報を受信することができる。システム情報の変更前または後に新しいシステム情報を獲得可能な時点を指示するタイマーが設定され得る。この場合、端末はタイマーによって指示される時点で新しいシステム情報の伝送を基地局に要求することができ、基地局から新しいシステム情報を受信することができる。
【０１８０】
一方、ＩｏＴ端末、ＭＴＣ端末または発信サービス（例えば、ＭＯ（ｍｏｂｉｌｅ  ｏｒｉｇｉｎａｔｅｄ）サービス）のみを支援する端末は、着信サービス（例えば、ＭＴ（ｍｏｂｉｌｅ  ｔｅｒｍｉｎａｔｅｄ）サービス）のためのページングチャネル（ｐａｇｉｎｇ）チャネル（以下、「着信ページングチャネル」という）を受信しないことがある。ページングチャネルを受信しない端末（以下、「発信端末」という）のためにシステム情報が変更されたことを指示する情報は、ページングチャネルの代わりに他のチャネルを通じて伝送され得る。
【０１８１】
またはシステム情報が変更されたことを指示する情報の伝送のためのページングチャネル（以下、「システムページングチャネル」という）は、着信ページングチャネルと別途に設定され得る。例えば、システムページングチャネルのためのスケジューリング情報は、着信ページングチャネルのためのスケジューリング情報と異なって設定され得る。スケジューリング情報は、時間−周波数リソース、スケジューリング識別子、スケジューリング情報内の制御フィールドの設定情報などであり得る。したがって、発信端末は着信ページングチャネルの代わりにシステムページングチャネルに対するモニタリング動作を遂行することができる。
【０１８２】
一方、オンデマンド方式に基づいたダウンリンク伝送要求手続き（例えば、システム情報の伝送要求手続き）は、アップリンクリソース（例えば、ランダムアクセス手続きのために設定されたリソース）を使って遂行され得る。端末は、ダウンリンク伝送要求手続きをトリガリングするために、アップリンク信号（例えば、プリアンブルシークエンス、シグナリング情報、制御情報など）を基地局に伝送することができる。ここで、プリアンブルシークエンスはオンデマンド方式に基づいたダウンリンク伝送要求手続きが開始されることを指示することができ、ダウンリンク伝送要求手続きをトリガリングするアップリンク信号は端末によって選択された時間−周波数リソースまたは基地局によって割り当てられた時間−周波数リソースを通じて伝送され得る。
【０１８３】
また、オンデマンド方式に基づいたダウンリンク伝送要求手続きのために使われるプリアンブルシークエンスは、ランダムアクセス手続きで端末が最初に伝送するプリアンブルシークエンスまたはシステム情報の伝送要求手続きのために設定されたプリアンブルシークエンスであり得る。プリアンブルシークエンスは、最小システム情報（例えば、必須システム情報）、ブロードキャスト方式で伝送されるシステム情報、特定領域（例えば、ビームフォーミング単位、ビームフォーミンググループ単位）のためのシステム情報などの伝送要求のために使用され得る。ここで、必須システム情報は、物理階層リソースの設定情報を含むシステム情報（例えば、ＭＩＢ、ＳＩＢ１、ＳＩＢ２等）であり得る。オンデマンド方式によりプリアンブルシークエンスを使ってシステム情報の伝送が要求される場合、プリアンブルシークエンス（または該当プリアンブルの無線リソース領域の設定情報）は要求されるシステム情報とマッピング関係を有することができる。すなわち、特定プリアンブルシークエンス（または該当プリアンブルの無線リソース領域の設定情報、マスク情報など）は、最小システム情報または他のシステム情報を構成するシステム情報ブロック（ＳＩＢ）のうち、特定システム情報ブロックを指示したり、特定システム情報ブロックとマッピング関係を有するように設定され得る。ここで、プリアンブルの無線リソース領域の設定情報は、プリアンブル伝送のためのアップリンク無線リソース位置を指示する情報であって、帯域幅、サブキャリア（グループ）等の周波数軸上の情報、フレーム、サブフレーム、スロット、ミニスロット、またはシンボルなどの時間軸上の情報、ビームフォーミング技法によるビーム設定情報などを含むことができる。
【０１８４】
したがって、端末は必要なシステム情報ブロックを考慮してマッピング関係に符合するプリアンブルシークエンスまたはプリアンブル無線リソース領域（例えば、ラジオフレーム、サブフレームまたは伝送帯域／サブキャリアインデックス）を選択することによって、プリアンブルを伝送することができ、基地局（またはセル）は受信したプリアンブルシークエンスまたはプリアンブルが受信された無線リソース領域に対する情報のみを使って、端末によって伝送が要求されるシステム情報ブロックを区別することができる。
【０１８５】
最小システム情報（例えば、必須システム情報）、ブロードキャスト方式で伝送されるシステム情報および特定領域（例えば、ビームフォーミング単位、ビームフォーミンググループ単位）のためのシステム情報を除いたシステム情報は、「他のシステム情報」と指称され得る。他のシステム情報はデータチャネルまたはマルチキャストチャネルを通じて伝送され得る。また、他のシステム情報はオンデマンド方式に基づいて伝送され得る。
【０１８６】
オンデマンド方式に基づいたシステム情報の伝送要求手続きで、伝送が要求されるシステム情報を指示するビットマップが使われ得、伝送が要求されるシステム情報の単位はＳＩＢ単位またはＳＩＢグループ単位であり得る。ここで、ビットマップはビットシークエンスを含むことができ、ビットシークエンスに含まれたビットのそれぞれは、ＳＩＢまたはＳＩＢグループにマッピングされ得、ビット値はシステム情報の伝送要求の有無を指示することができる。例えば、１で設定された特定ビットは特定ビットに対応するＳＩＢ（またはＳＩＢグループ）の伝送が要求されることを指示することができる。
【０１８７】
一方、最小システム情報の伝送要求手続きは、ランダムアクセス手続きでランダムアクセスプリアンブルの伝送のために使われるアップリンクリソースに基づいて遂行され得る。例えば、端末はランダムアクセス手続きでランダムアクセスプリアンブルのために割り当てられたリソースを使って最小システム情報の伝送を要求するメッセージを基地局に伝送することができる。他のシステム情報の伝送要求手続きは、ランダムアクセス手続きでメッセージ＃３（例えば、ランダムアクセス応答の受信後に端末が伝送するメッセージ）の伝送のために使われるアップリンクリソースに基づいて遂行され得る。例えば、端末はランダムアクセス手続きでメッセージ＃３のために割り当てられたリソースを使って、他のシステム情報の伝送を要求するメッセージを基地局に伝送することができる。
【０１８８】
他のシステム情報の伝送を要求するメッセージは、送受信ビーム関連情報を含むことができる。基地局と端末間にビームフォーミング方式に基づいた通信が遂行される場合、送受信ビーム関連情報は基地局の観点で最適な送受信ビームを決定するために使われるフィードバック情報（例えば、ビーム設定情報、ビームインデックス、ビーム測定結果、アンテナポートなど）、端末の送受信ビームの情報などを含むことができる。
【０１８９】
したがって、他のシステム情報の伝送を要求するメッセージが端末から受信された場合、基地局は受信したメッセージから送受信ビーム関連情報を識別することができ、送受信ビーム関連情報に基づいて最適なビームを決定することができる。基地局は他のシステム情報、最適なビームインデックスなどを含むメッセージを端末に伝送することができ、端末は基地局から該当メッセージを受信することによって、他のシステム情報、最適なビームインデックスなどを獲得することができる。また、送受信ビーム関連情報に端末によって決定された特定ビームのインデックスが含まれた場合、基地局は特定ビームのインデックスによって指示されるダウンリンクビームを使って他のシステム情報を端末に伝送することができる。
【０１９０】
また、基地局は、複数のダウンリンクビームを使ってシステム情報（例えば、最小システム情報、他のシステム情報）を端末に伝送することができる。例えば、基地局は同じ時間に複数のダウンリンクビームを使って同じシステム情報を伝送することができる。また、基地局は互いに異なる時間にダウンリンクビームを使ってシステム情報を伝送することができる。
【０１９１】
一方、オンデマンド方式に基づいたシステム情報の伝送要求手続きで、基地局から伝送されたシステム情報は少なくとも一つの端末で受信され得る。システム情報がランダムアクセス応答のために設定されたリソースを通じて伝送される場合、一つの端末がシステム情報を受信することができる。この場合、ランダムアクセスプリアンブルのために設定されたリソースとランダムアクセス応答のために設定されたリソース間の時間間隔は一定に維持され得る。
【０１９２】
基地局は、システム情報の伝送要求に対する応答としてシステム情報を端末に伝送することができる。または基地局はシステム情報の伝送要求に対する応答としてシステム情報のスケジューリング情報（例えば、ＰＤＣＣＨ（ｐｈｙｓｉｃａｌ  ｄｏｗｎｌｉｎｋ  ｃｏｎｔｒｏｌ  ｃｈａｎｎｅｌ）設定情報、グループ共通ＰＤＣＣＨ設定情報）を端末に伝送することができる。例えば、システム情報の伝送を要求するメッセージがランダムアクセスプリアンブルのために設定されたリソースを通じて受信した場合、基地局はシステム情報のスケジューリング情報をランダムアクセス応答のために設定されたリソースを通じて伝送することができる。
【０１９３】
ここで、ランダムアクセスプリアンブルはシステム情報の伝送が要求されることを指示することができる。システム情報の伝送が要求されることを指示するランダムアクセスプリアンブルのためのリソース（例えば、時間−周波数リソース、プリアンブルシークエンスなど）は、接続設定のために使われるランダムアクセスプリアンブルのためのリソースと同一に設定され得る。またはシステム情報の伝送が要求されることを指示するランダムアクセスプリアンブルのためのリソースは、接続設定のために使われるランダムアクセスプリアンブルのためのリソースと異なって設定され得る。
【０１９４】
また、基地局はシステム情報のスケジューリング情報を含むランダムアクセス応答を伝送することができる。ランダムアクセス応答は、システム情報の伝送が要求されることを指示するランダムアクセスプリアンブルが基地局で成功裏に受信されたことを指示する情報をさらに含むことができる。したがって、ランダムアクセス応答にシステム情報の伝送が要求されることを指示するランダムアクセスプリアンブルが基地局で成功裏に受信されたことを指示する情報が存在しない場合、端末はあらかじめ設定された時間（例えば、タイマー）が経過した後にシステム情報の伝送が要求されることを指示するランダムアクセスプリアンブルを繰り返し伝送することができる。ここで、ランダムアクセスプリアンブルはあらかじめ設定された最大伝送回数だけ繰り返し伝送され得、互いに異なるプリアンブルシークエンスを使って繰り返し伝送され得、互いに異なるリソースを通じて繰り返し伝送され得る。また、ビームフォーミング方式が使われる場合、ランダムアクセスプリアンブルは互いに異なるビーム設定情報（例えば、ビームインデックス）に基づいて繰り返し伝送され得る。
【０１９５】
システム情報の伝送が要求されることを指示するランダムアクセスプリアンブルを受信した基地局は、該当システム情報に対応するスケジューリング識別子またはオンデマンド方式に基づいたシステム情報の伝送要求手続きのために設定されたスケジューリング識別子（例えば、Ｃ−ＲＮＴＩ）を使って、スケジューリング情報（例えば、ＰＤＣＣＨ設定情報、グループ共通ＰＤＣＣＨ設定情報）を伝送することができ、スケジューリング情報によって指示されるリソースを通じてシステム情報を伝送することができる。端末は基地局からスケジューリング識別子（例えば、グループ  スケジューリング識別子）に基づいてスケジューリング情報を受信することができる。例えば、端末はランダムアクセス応答のための受信ウインドウまたはオンデマンド方式に基づいたシステム情報の伝送要求手続きのために設定された受信ウインドウでスケジューリング情報を受信することができる。ここで、受信ウインドウは、シンボル、ミニスロット、スロット、サブフレーム、ＴＴＩ、ラジオフレーム、マイクロ秒、ミリ秒、秒などの単位で設定され得る。スケジューリング情報が受信された場合、端末はスケジューリング情報によって指示されるリソースを通じてシステム情報を受信することができる。
【０１９６】
受信ウインドウ内でスケジューリング情報（またはシステム情報）が受信されなかった場合、端末はオンデマンド方式に基づいたシステム情報の伝送要求手続きを再び始めることができる。またはＲＲＣ＿アイドル状態またはＲＲＣ＿インアクティブ状態で動作する端末はＲＲＣ＿コネクテッド状態に遷移することができ、ＲＲＣ＿コネクテッド状態で動作する端末はシステム情報の伝送要求手続きを遂行することができる。
【０１９７】
一方、オンデマンド方式に基づいたシステム情報の伝送要求手続きで一つの端末が基地局からシステム情報を受信する場合、ＲＲＣ＿アイドル状態またはＲＲＣ＿インアクティブ状態で動作する端末は次の通り動作することができる。
【０１９８】
ＲＲＣ＿アイドル状態またはＲＲＣ＿インアクティブ状態で動作する端末は、システム情報の伝送を要求するランダムアクセスプリアンブルを基地局で伝送することができ、その後にＲＲＣ＿アイドル状態またはＲＲＣ＿インアクティブ状態で動作する端末は、ＲＲＣ＿コネクテッド状態に遷移することができる。ＲＲＣ＿コネクテッド状態で動作する端末はユニキャストリソースを通じて基地局からシステム情報（例えば、システム情報を含むランダムアクセス応答）を受信することができる。
【０１９９】
またはシステム情報の伝送を要求するランダムアクセスプリアンブルの伝送後に、ＲＲＣ＿アイドル状態またはＲＲＣ＿インアクティブ状態で動作する端末はＲＲＣ＿コネクテッド状態への遷移動作なしに別途のスケジューリング情報によって指示されるリソース、マルチキャストリソースまたはブロードキャストリソースを通じて基地局からシステム情報（例えば、システム情報を含むランダムアクセス応答）を受信することができる。
【０２００】
基地局は、ランダムアクセス応答のために設定されたリソースまたはオンデマンド方式に基づいたシステム情報の伝送手続きのために設定されたリソースを通じて、システム情報の伝送のために設定された情報（例えば、スケジューリング情報、ダウンリンク伝送のための情報、リソース情報）を含む制御メッセージを伝送することができる。制御メッセージはＲＲＣ階層、ＭＡＣ階層または物理階層の制御情報、制御エレメント（ｅｌｅｍｅｎｔ）、制御パラメーター、制御フィールド、インディケーションｉｎｄｉｃａｔｉｏｎ）ビット（またはシンボル）等を含むことができる。
【０２０１】
例えば、制御メッセージは、ブロードキャスト伝送、マルチキャスト伝送またはユニキャスト伝送のためのリソースのスケジューリング情報または該当リソースのスケジューリングのために設定されたスケジューリング識別子を含むことができる。したがって、端末は制御メッセージに含まれたスケジューリング情報を識別することができたり、スケジューリング識別子に基づいてスケジューリング情報を識別することができる。端末は識別されたスケジューリング情報に基づいてシステム情報を受信することができる。また、基地局から受信した制御メッセージがＲＲＣ＿コネクテッド状態への遷移動作を指示しない場合、端末はＲＲＣ＿アイドル状態またはＲＲＣ＿インアクティブ状態でシステム情報を受信することができる。
【０２０２】
オンデマンド方式に基づいたシステム情報が伝送されるリソース（例えば、ブロードキャストリソース、マルチキャストリソース、ユニキャストリソース）に対するスケジューリング情報は、時間リソース情報（例えば、区間、ウインドウ、伝送周期）、周波数リソース情報（例えば、割り当てられた帯域、サブキャリアインデックス）、繰り返し伝送関連情報、ＭＣＳ情報、ビームフォーミング関連情報（例えば、ビーム設定情報、ビームインデックス）等を含むことができる。したがって、基地局はスケジューリング情報に基づいてシステム情報を伝送することができ、端末はスケジューリング情報に基づいてシステム情報を受信することができる。
【０２０３】
一方、システム情報がブロードキャストチャネルまたはマルチキャストチャネルを通じて伝送される場合、複数の端末がシステム情報を受信することができる。基地局は、ブロードキャストチャネルを通じて伝送されるシステム情報のための伝送周期と無線リソースを準静的に設定することができ、伝送周期と無線リソースの情報を端末に知らせることができる。端末は、基地局から獲得した伝送周期と無線リソースに基づいてシステム情報を受信することができる。また、ブロードキャストチャネルの伝送周期内にオンデマンド方式に基づいたシステム情報の伝送要求が端末から受信された場合、基地局は、該当伝送周期によりシステム情報（例えば、端末によって要求されたシステム情報）をブロードキャスト方式で伝送することができる。システム情報は、データチャネルを通じて伝送され得、共用のスケジューリング識別子（例えば、ＳＩ−ＲＮＴＩ）に基づいてシステム情報に対するスケジューリング情報（例えば、ＰＤＣＣＨを通じて伝送されるスケジューリング情報）が伝送されるので、すべての端末がシステム情報を受信することができる。
【０２０４】
基地局は、マルチキャストチャネルを通じて伝送されるシステム情報のための伝送周期と無線リソースを準静的に設定することができ、伝送周期と無線リソースの情報を端末に知らせることができる。すべての端末は、基地局から獲得した伝送周期と無線リソースに基づいてシステム情報を受信することができる。または基地局は、マルチキャストチャネルを通じて伝送されるシステム情報のための伝送周期と無線リソースを動的に設定することができ、マルチキャスト伝送のためのスケジューリング識別子（例えば、ＳＩＭＣ（ｓｙｓｔｅｍ  ｉｎｆｏｒｍａｔｉｏｎ  ｍｕｌｔｉｃａｓｔ）−ＲＮＴＩ）を使ってシステム情報のためのスケジューリング情報を伝送することができる。端末は、オンデマンド方式に基づいたシステム情報の伝送手続きのために設定されたスケジューリング識別子に基づいてスケジューリング情報を受信することができ、スケジューリング情報に基づいてシステム情報を受信することができる。
【０２０５】
一方、オンデマンド方式に基づいたシステム情報の伝送を要求するメッセージが受信されなかった場合、基地局はシステム情報をブロードキャスト方式またはマルチキャスト方式で伝送しないこともある。オンデマンド方式に基づいたシステム情報の伝送を要求するメッセージの伝送前に、端末は基地局の制御情報（例えば、システム情報に対するスケジューリング情報、スケジューリング識別子）を受信することによって必要なシステム情報（例えば、オンデマンド方式を基礎で端末によって要求されるシステム情報）の伝送の有無を識別することができる。
【０２０６】
例えば、他の端末のシステム情報の伝送要求に対する応答（例えば、システム情報に対するスケジューリング情報、スケジューリング識別子）が基地局から受信され、受信した応答に基づいて端末が必要なシステム情報があらかじめ設定された時間（例えば、ウインドウ、タイマー）内に基地局から伝送されると判断された場合、端末は、オンデマンド方式に基づいたシステム情報の伝送を要求するメッセージを伝送しないこともある。その反面、端末が必要なシステム情報があらかじめ設定された時間（例えば、ウインドウ、タイマー）内に基地局から伝送されないと判断された場合、端末は、オンデマンド方式に基づいたシステム情報の伝送を要求するメッセージを伝送することができる。したがって、オンデマンド方式に基づいたシステム情報の伝送を要求するメッセージの伝送によるオーバーヘッドが減少され得る。
【０２０７】
一方、セルカバレッジが重なった環境でオンデマンド方式に基づいたシステム情報の伝送手続きの簡素化のために、基地局は、隣接（ｎｅｉｇｈｂｏｒｉｎｇ）基地局（例えば、隣接セル）のシステム情報を端末に伝送することができる。例えば、端末は、オンデマンド方式に基づいたシステム情報の伝送を要求するメッセージを伝送することができる。基地局は、オンデマンド方式に基づいたシステム情報の伝送を要求するメッセージを端末から受信することができ、該当端末がセルカバレッジの間を移動したり、セルカバレッジの間に重なった領域に位置する場合に、自分のシステム情報と隣接基地局（例えば、隣接セル）のシステム情報を該当端末に伝送することができる。端末は、基地局から基地局のシステム情報と隣接基地局（例えば、隣接セル）のシステム情報を獲得することができる。基地局のそれぞれのシステム情報は、セル識別子によって区分され得る。端末が隣接基地局のセルカバレッジに移動した場合、端末は、隣接基地局から受信したシステム情報または参照信号に基づいて隣接基地局のセル識別子を識別することができ、セル識別子と対応するシステム情報（例えば、基地局から獲得した隣接基地局のシステム情報）が存在する場合に隣接基地局とシステム情報の獲得手続きを遂行しないこともある。
【０２０８】
・リソース間のマッピング関係に基づいたランダムアクセス手続き
【０２０９】
次いで、ダウンリンクリソース（例えば、同期信号バースト転送のために設定されたリソース）とアップリンクリソース（例えば、ランダムアクセス手続きのために設定されたリソース）間のマッピング関係に基づいたランダムアクセス手続きを説明する。
【０２１０】
図１４は、通信システムにおける同期信号の伝送方法の第１実施例を図示したタイミング図である。
【０２１１】
図１４を参照すると、同期信号ブロックは、ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）、ＰＢＣＨなどを含むことができる。同期信号バーストは、同期信号バーストの区間内で伝送される同期信号ブロックを含むことができる。基地局は、同期信号バーストセット（ｓｅｔ）内であらかじめ設定された周期により同期信号バーストを伝送することができる。ここで、ｎは正の整数であり得る。ビームフォーミング方式が使われる場合、基地局は、同期信号バーストセット内ですべてのビームのそれぞれを使って同期信号（例えば、同期信号ブロック、同期信号バースト）を伝送することができる。ここで、同期信号（例えば、同期信号ブロック、同期信号バースト）はあらかじめ設定された条件により繰り返し伝送され得る。
【０２１２】
一方、アップリンクリソース（例えば、ランダムアクセス手続きのために設定されたリソース）がダウンリンクリソース（例えば、同期信号バースト転送のために設定されたリソース）にマッピングされる場合、ランダムアクセスプリアンブルは、アップリンクリソース（例えば、共通リソース）を通じて繰り返し伝送され得る。例えば、複数の基地局で共有される共通リソースは、あらかじめ設定された周波数帯域または同じ帯域幅で同期信号バーストセット（例えば、同期信号バースト）を同じであるか共通規則が適用される設定パラメーターを使って構成することができる。端末がランダムアクセスプリアンブルを繰り返し伝送できるように、基地局によって支援されるビームに基づいてマッピング関係が設定され得る。この場合、端末は、同期信号バーストセット（またはランダムアクセス手続き）の終了時点まで端末によって選択されたプリアンブルシークエンス（例えば、コードシークエンス、ビットシークエンス、信号シークエンス）の変更なしにランダムアクセスプリアンブルを繰り返し伝送することができる。
【０２１３】
図１５は、通信システムにおけるリソース間のマッピング関係を図示した概念図である。
【０２１４】
図１５を参照すると、第１基地局および第２基地局は、ＦＤＤ方式で動作することができる。第１基地局および第２基地局のそれぞれは、図６に図示された第１基地局６１０−１および第２基地局６１０−２と同じであり得る。第１基地局および第２基地局のための共通情報が設定され得、共通情報は、ブロードキャスト方式（またはマルチキャスト方式）で伝送されるシステム情報（例えば、最小システム情報、必須システム情報）、同期信号（例えば、同期信号ブロック、同期信号バースト）等であり得る。また、共通情報は、システム情報、制御情報、物理チャネル設定／割当情報、参照信号設定／割当情報、リソース割当情報などを含むことができる。共通情報は第１基地局および第２基地局のために設定された共通リソースを通じて伝送され得る。
【０２１５】
第１基地局のダウンリンク共通リソースと第１基地局のアップリンク共通リソース間のマッピング関係が設定され得る。したがって、第１基地局のダウンリンク共通リソースの位置を分かっている端末は、第１基地局のダウンリンク共通リソースの位置とマッピング関係に基づいて第１基地局のアップリンク共通リソースの位置を推定することができる。第２基地局のダウンリンク共通リソースと第２基地局のアップリンク共通リソース間のマッピング関係が設定され得る。したがって、第２基地局のダウンリンク共通リソースの位置を分かっている端末は、第２基地局のダウンリンク共通リソースの位置とマッピング関係に基づいて第２基地局のアップリンク共通リソースの位置を推定することができる。ここで、ダウンリンク共通リソースは共通情報の伝送のために使われ得、アップリンク共通リソースはランダムアクセス手続き、スケジューリング要求手続き、ダウンリンク伝送要求手続き、システム情報の要求手続きなどのために使用され得る。ダウンリンク共通リソースとアップリンク共通リソース間のマッピング関係は、ＲＲＣ階層の専用制御メッセージ、ＭＡＣ制御ＰＤＵなどを利用したシグナリング手続きまたはシステム情報の伝送手続きを通じて端末に伝送され得る。
【０２１６】
また、アップリンク共通リソースは、第１基地局と第２基地局で共有され得、時間軸でアップリンク共通リソースの位置は、第１基地局と第２基地局で同じであり得る。例えば、第１基地局のＰＲＡＣＨ（例えば、ＰＲＡＣＨオケージョン（ｏｃｃａｓｉｏｎ））は第２基地局のＰＲＡＣＨ（例えば、ＰＲＡＣＨオケージョン）と同一に設定され得る。ここで、基地局の間のＰＲＡＣＨ（例えば、ＰＲＡＣＨオケージョン）が同一に設定されるとは、前述した絶対的または相対的な方法による同じ規則に基づいて設定されることを意味し得る。したがって、第１基地局のアップリンク共通リソースの位置を分かっている端末は、第２基地局のシステム情報の獲得手続きを遂行することなく第１基地局のアップリンク共通リソースの位置に基づいて第２基地局のアップリンク共通リソースの位置を推定することができ、第２基地局のアップリンク共通リソースを使ってランダムアクセスプリアンブルを第２基地局に伝送することができる。ここで、共通リソースの位置は、該当リソースの周波数帯域（例えば、帯域幅、サブキャリア（グループ））、伝送時間、送信／受信ビームなどを指示する情報を意味し得る。したがって、共通リソースの位置を推定することは、端末がダウンリンク同期信号のリソース位置情報からマッピング関係を使ってランダムアクセスプリアンブルを伝送できるアップリンクＰＲＡＣＨリソースの伝送帯域（例えば、帯域幅）の指示（ｉｎｄｉｃａｔｉｏｎ）情報、伝送時間（例えば、フレーム、サブフレーム、スロット、ミニスロット、またはシンボルなど）インデックス、マスク値、プリアンブルインデックス範囲、送信ビームインデックスなどに対する情報を獲得することを意味し得る。
【０２１７】
前述した共通リソースおよび共通情報に基づいた通信手続き（例えば、ランダムアクセス手続き、システム情報の伝送手続きなど）は、図４および図５に図示された統合通信システムに適用され得る。例えば、ＸＤＵ（またはＸＤＵアグリゲーター）は前述した共通リソースおよび共通情報に基づいた通信手続きを遂行することができる。すなわち、複数のＸＤＵ（または複数のＸＤＵアグリゲーター）は共通リソースを設定することができ、共通リソースの設定情報を伝送することができる。また、複数のＸＤＵ（または複数のＸＤＵアグリゲーター）は共通情報を設定することができ、共通リソースを通じて共通情報を伝送することができる。したがって、移動性を有するＸＤＵは、他のＸＤＵ（または他のＸＤＵエグリケイト）により設定された共通リソースおよび共通情報を使って通信（例えば、前述した端末の動作）を遂行することができる。
【０２１８】
本発明に係る方法は、多様なコンピュータ手段を通じて遂行され得るプログラム命令形態で具現されてコンピュータ読み出し可能媒体に記録され得る。コンピュータ読み出し可能媒体は、プログラム命令、データファイル、データ構造などを単独でまたは組み合わせて含むことができる。コンピュータ読み出し可能媒体に記録されるプログラム命令は本発明のために特別に設計されて構成されたものなどやコンピュータソフトウェア当業者に公知とされて使用可能なものであり得る。
【０２１９】
コンピュータ読み出し可能媒体の例には、ロム（ｒｏｍ）、ラム（ｒａｍ）、フラッシュメモリ（ｆｌａｓｈ  ｍｅｍｏｒｙ）等のようにプログラム命令を保存して遂行するように特別に構成されたハードウェア装置が含まれる。プログラム命令の例にはコンパイラ（ｃｏｍｐｉｌｅｒ）により作られるような機械語コードだけでなくインタープリタ（ｉｎｔｅｒｐｒｅｔｅｒ）等を使ってコンピュータによって実行され得る高級言語コードを含む。前述したハードウェア装置は本発明の動作を遂行するために少なくとも一つのソフトウェアモジュールで作動するように構成され得、その逆も同じであり得る。
【０２２０】
以上実施例を参照して説明したが、該当技術分野の熟練した当業者は、下記の特許請求の範囲に記載された本発明の思想および領域から逸脱しない範囲内で本発明を多様に修正および変更できることが理解できるはずである。
【図１】
2019530272.tif 000004
【図２】
2019530272.tif 000005
【図３】
2019530272.tif 000006
【図４】
2019530272.tif 000007
【図５】
2019530272.tif 000008
【図６】
2019530272.tif 000009
【図７】
2019530272.tif 000010
【図８】
2019530272.tif 000011
【図９】
2019530272.tif 000012
【図１０】
2019530272.tif 000013
【図１１】
2019530272.tif 000014
【図１２】
2019530272.tif 000015
【図１３】
2019530272.tif 000016
【図１４】
2019530272.tif 000017
【図１５】
2019530272.tif 000018
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
通信システムにおけるＵＥ（ｕｓｅｒ  ｅｑｕｉｐｍｅｎｔ）の動作方法であって、
一つ以上のＳＩＢ（ｓｙｓｔｅｍ  ｉｎｆｏｒｍａｔｉｏｎ  ｂｌｏｃｋ）が修正されたことを指示するビットマップを基地局から受信する段階、
ＳＩＢ＃２〜＃ｎのためのタグを含むＳＩＢ＃１を前記基地局から受信する段階、
前記タグに基づいて前記ＳＩＢ＃２〜＃ｎのそれぞれの修正の有無を識別する段階、および
前記ＳＩＢ＃２〜＃ｎのうち、修正されたＳＩＢを受信するためにチャネルをモニタリングする段階を含み、
前記ｎは３以上の整数である、ＵＥの動作方法。
【請求項２】
前記ビットマップは、前記一つ以上のＳＩＢの有効性を指示する、請求項１に記載のＵＥの動作方法。
【請求項３】
前記ビットマップは、制御チャネルを通じて受信される、請求項１に記載のＵＥの動作方法。
【請求項４】
前記ＳＩＢ＃１は、最小システム情報である、請求項１に記載のＵＥの動作方法。
【請求項５】
前記ＳＩＢ＃２〜＃ｎのうち、ＳＩＢ＃ｍのためのタグは前記ＳＩＢ＃ｍのための有効性に対する情報である、請求項１に記載のＵＥの動作方法。
【請求項６】
前記修正されたＳＩＢは、前記ＳＩＢ＃１に含まれたタグと前記ＵＥに保存された以前のタグ間の比較結果に基づいて識別される、請求項１に記載のＵＥの動作方法。
【請求項７】
前記ＳＩＢ＃１は、サブキャリア間隔に対する情報をさらに含む、請求項１に記載のＵＥの動作方法。
【請求項８】
前記ＳＩＢ＃１は、システム情報が適用されるエリアを指示するエリア識別子をさらに含む、請求項１に記載のＵＥの動作方法。
【請求項９】
前記ＵＥの動作方法は、
サブキャリア間隔に対する情報を含むＭＩＢ（ｍａｓｔｅｒ  ｉｎｆｏｒｍａｔｉｏｎ  ｂｌｏｃｋ）を前記基地局から受信する段階をさらに含む、請求項１に記載のＵＥの動作方法。
【請求項１０】
通信システムにおける基地局の動作方法であって、
一つ以上のＳＩＢ（ｓｙｓｔｅｍ  ｉｎｆｏｒｍａｔｉｏｎ  ｂｌｏｃｋ）が修正されたことを指示するビットマップを伝送する段階、
ＳＩＢ＃２〜＃ｎのためのタグ（ｔａｇｓ）を含むＳＩＢ＃１を伝送する段階、および
前記ＳＩＢ＃２〜＃ｎのうち、修正されたＳＩＢを伝送する段階を含み、
前記ｎは３以上の整数であり、前記修正されたＳＩＢは前記ＳＩＢ＃１に含まれた前記タグを使って識別される、基地局の動作方法。
【請求項１１】
前記ビットマップは、前記一つ以上のＳＩＢの有効性を指示する、請求項１０に記載の基地局の動作方法。
【請求項１２】
前記ビットマップは、制御チャネルを通じて伝送される、請求項１０に記載の基地局の動作方法。
【請求項１３】
前記ＳＩＢ＃１は、最小システム情報である、請求項１０に記載の基地局の動作方法。
【請求項１４】
前記ＳＩＢ＃２〜＃ｎのうち、ＳＩＢ＃ｍのためのタグは前記ＳＩＢ＃ｍのための有効性に対する情報である、請求項１０に記載の基地局の動作方法。
【請求項１５】
前記修正されたＳＩＢは、前記ＳＩＢ＃１に含まれたタグとＵＥ（ｕｓｅｒ  ｅｑｕｉｐｍｅｎｔ）に保存された以前のタグ間の比較結果に基づいて識別される、請求項１０に記載の基地局の動作方法。
【請求項１６】
前記ＳＩＢ＃１は、サブキャリア間隔に対する情報をさらに含む、請求項１０に記載の基地局の動作方法。
【請求項１７】
前記ＳＩＢ＃１は、システム情報が適用されるエリアを指示するエリア識別子をさらに含む、請求項１０に記載の基地局の動作方法。
【国際調査報告】
2019530272.tif 000019
2019530272.tif 000020
2019530272.tif 000021
2019530272.tif 000022